(57)【要約】【課題】消灯以外の複数の点灯状態の切替制御を遠隔リモコン操作及び手動スイッチ操作のどちらでも可能とする。【解決手段】商用電源ＡＣを直流電圧に変換する電源回路部３ａと、直流をスイッチングする半導体スイッチを備え出力側に少なくとも１つの光源１を接続する出力可変の点灯回路部３ｂと、ワイヤレス信号送信器Ｃからの操作信号を受信する受光部７が受信した操作信号に応じて点灯回路部３ｂ内の半導体スイッチの動作を制御あるいは停止させる制御部１０を具備する点灯出力制御回路部４とを備え、手動スイッチ機構ＤからのＯＮ／ＯＦＦ電気信号によっても前記点灯回路部３ｂ内の半導体スイッチの動作を制御あるいは停止させるようにし、ワイヤレス信号送信器Ｃあるいは手動スイッチ機構Ｄのどちらの操作であっても光源１が消灯状態以外で複数の点灯出力を切り換え可能とした。【選択図】図１
2006190657.tif 000002
【特許請求の範囲】
【請求項１】
商用電源を直流電圧に変換する電源回路部と、
直流をスイッチングする半導体スイッチを備え、出力側に少なくとも１つの光源を接続する出力可変の点灯回路部と、
ワイヤレス信号送信器からの操作信号を受信する受光部、およびこの受光部が受信した操作信号に応じて前記点灯回路部内の半導体スイッチの動作を制御あるいは停止させる制御部を具備する点灯出力制御回路部とを備え、
前記点灯出力制御回路部は、手動スイッチ機構からのＯＮ／ＯＦＦ電気信号によっても前記点灯回路部内の半導体スイッチの動作を制御あるいは停止させるように構成し、ワイヤレス信号送信器あるいは手動スイッチ機構のどちらの操作であっても光源が消灯状態以外で複数の点灯出力を切り換え可能にしたことを特徴とする光源用点灯装置。
【請求項２】
商用電源を直流電圧に変換する主光源用の第１の電源回路部と、
商用電源もしくは前記第１の電源回路部に接続される補助光源用の第２の電源回路部と、
第１の電源回路部出力の直流電圧をスイッチングする半導体スイッチを備え、出力側に少なくとも１つの主光源を接続する出力可変の第１の点灯回路部と、
入力側が補助光源用の第２の電源回路部の出力に接続され、出力側に補助光源を接続する第２の点灯回路部と、
ワイヤレス信号送信器からの操作信号を受信する受光部、主光源及び補助光源の現在の点灯モードを記憶する記憶部、主光源及び補助光源に対して予め設定した複数の点灯モード及び各点灯モードの切換え順序を記憶された保存部、前記受光部を介して前記ワイヤレス信号送信器から操作信号を受けると操作信号に対応した点灯モード信号を前記第１及び第２の点灯回路部に出力する制御部を具備する点灯出力制御回路部とを備え、
前記制御部は、手動スイッチ機構からのＯＮ／ＯＦＦ電気信号によっても前記保存部に記憶された切換え順序に従った点灯モードの切換えを可能にしたことを特徴とする光源用点灯装置。
【請求項３】
前記第１あるいは第２の電源回路部または前記第１あるいは第２の点灯回路部で発生した異常状態を検出する異常検出部と、異常を検出した場合にＯＮ／ＯＦＦ電気信号を出力する異常検出信号生成部と、ＯＮ／ＯＦＦ電気信号を判別するＯＮ／ＯＦＦ電気信号判別部とを設け、前記異常検出信号生成部からのＯＮ／ＯＦＦ電気信号と前記手動スイッチ機構からのＯＮ／ＯＦＦ電気信号は、前記ＯＮ／ＯＦＦ電気信号判別部に対してＯＲ構成で接続し、ＯＮ／ＯＦＦ電気信号の信号源が前記異常検出信号生成部と認識した場合には、異常検出に対応した保護検出動作を行い、ＯＮ／ＯＦＦ電気信号の信号源が前記手動スイッチ機構と認識した場合には、点灯モードを切替順序にしたがって切り替えるようにしたことを特徴とする請求項１または２のいずれかに記載の光源用点灯装置。
【請求項４】
前記異常検出部は、前記第２の点灯回路部の出力電流を検出し、出力電流が過剰に流れたことを異常と判断するものであり、前記保護検出動作とは前記第２の点灯回路部の動作を停止するか、もしくは間欠動作とするようにしたことを特徴とする請求項３記載の光源用点灯装置。
【請求項５】
前記ＯＮ／ＯＦＦ電気信号判別部は、前記ＯＮ／ＯＦＦ電気信号の信号切り替わり時からの継続時間を検出することでＯＮ／ＯＦＦ電気信号の信号源を判別するための閾値時間ｔを予め設定され、ＯＮ／ＯＦＦ電気信号の切り替わり時からの継続時間が閾値時間ｔ以下の場合は、異常検出部からの信号と認識し、ＯＮ／ＯＦＦ電気信号の切り替わり時からの継続時間が閾値時間ｔ以上の場合は、手動スイッチからの信号と認識することを特徴とする請求項３または４のいずれかに記載の光源用点灯装置。
【請求項６】
前記制御部あるいは前記ＯＮ／ＯＦＦ電気信号判別部は、手動スイッチ機構の長押し連続駆動を判別するための閾値時間Ｔ１を設定され、前記ＯＮ／ＯＦＦ電気信号の信号切り替わり時からの継続時間を検出することで、手動スイッチ機構の長押し連続駆動を判別するようにし、ＯＮ／ＯＦＦ電気信号の切り替わり時からの継続時間がＴ１以下の場合は、通常の手動スイッチ駆動と認識して次点灯モードへ移行し、ＯＮ／ＯＦＦ電気信号の切り替わり時からの継続時間がＴ１以上の場合は、手動スイッチ機構の長押し連続駆動と認識していかなる点灯モードであっても予め設定された固定の点灯モードへ移行するようにしたことを特徴とする請求項１〜５のいずれかに記載の光源用点灯装置。
【請求項７】
前記第１の点灯回路部は主光源の光出力を連続的に変化させる第１の連続調光機能を有し、前記保存部は連続調光機能に対応する多段階の点灯モードを記憶するとともに、多段階の点灯モードの中から段調光機能に対応する点灯モード及び切換え順序を記憶し、前記ワイヤレス信号送信器は連続調光制御が可能な連続調光操作部と、段調光制御が可能な段調光操作部とを有した構成とし、前記手動スイッチ機構からのＯＮ／ＯＦＦ電気信号による操作では、前記段調光機能に対応する点灯モードのみを切換え順序に従って切換えるようにしたことを特徴とする請求項１〜６のいずれかに記載の光源用点灯装置。
【請求項８】
前記制御部は、ワイヤレス信号送信器からの操作により、前記保存部に記憶された多段階の点灯モードの中から段調光機能に対応する点灯モード及び切換え順序の書き換えを可能とし、前記手動スイッチ機構からのＯＮ／ＯＦＦ電気信号による操作でも、書き換え後の点灯モード及び切換え順序に従って切換えるようにしたことを特徴とする請求項１〜７のいずれかに記載の光源用点灯装置。
【請求項９】
前記第２の点灯回路部も出力可変とし、補助光源の光出力を連続的に変化させる第２の連続調光機能を有したことを特徴とする請求項１〜８のいずれかに記載の光源用点灯装置。
【請求項１０】
前記制御部あるいは前記ＯＮ／ＯＦＦ電気信号判別部は、手動スイッチ機構の長押し連続駆動を判別するための閾値時間Ｔ２を設定され、前記ＯＮ／ＯＦＦ電気信号の信号切り替わり時からの継続時間を検出することで、手動スイッチ機構の長押し連続駆動を判別するようにし、ＯＮ／ＯＦＦ電気信号の切り替わり時からの継続時間がＴ２以下の場合は、通常の手動スイッチ駆動と認識して次点灯モードへ移行し、ＯＮ／ＯＦＦ電気信号の切り替わり時からの継続時間がＴ２以上になった場合は、ＯＮ／ＯＦＦ電気信号が切替わりから継続している期間において、消灯モードを含めた複数の点灯モードを順次一定期間毎に切り替えるようにしたことを特徴とする請求項１〜５または請求項７〜９のいずれかに記載の光源用点灯装置。
【請求項１１】
前記点灯出力制御回路部は音声出力部を具備し、前記制御部は前記手動スイッチ機構からのＯＮ／ＯＦＦ電気信号の切替わり有無に応じて音声出力部へ出力駆動信号を送信するようにしたことを特徴とする請求項１〜１０のいずれかに記載の光源用点灯装置。
【請求項１２】
請求項１〜１１のいずれかに記載の光源用点灯装置と、主光源及び補助光源を具備していることを特徴とする光源点灯装置。
【請求項１３】
請求項１２記載の光源点灯装置と、光源ランプの放射光を制光する制光手段を有した照明器具本体とを具備していることを特徴とする照明装置。
【発明の詳細な説明】
【技術分野】
【０００１】
本発明は、複数の点灯状態を切り替え選択できる光源用点灯装置、光源点灯装置、この光源点灯装置を具備した照明装置に関するものである。
【背景技術】
【０００２】
一般にプルスイッチを有した照明器具は、該プルスイッチを介して該照明器具内に設けられた光源点灯回路をＯＮ、ＯＦＦすることにより照明器具に具備された直管や丸管等の光源ランプを点灯又は消灯することが出来るものであるが、その動作の度に照明器具の取り付け位置まで体を運ばなければならないという煩雑さがあった。
【０００３】
そこで、実用新案第３００７５９１号に記載されているように、プルスイッチを有した照明器具の引掛プラグと、該照明器具を懸吊する照明器具懸吊用引掛コンセントとの間に装着可能で、且つ該照明器具懸吊用引掛コンセントと前記照明器具の引掛プラグとの夫々を電気的に接続すると共に、所定のワイヤレス信号送信器からの操作信号の受信によって前記照明器具を点灯又は消灯させることができるアダプターが提案されており、これにより誰でも簡単かつ瞬時に前記照明器具懸吊用引掛コンセントに懸吊され、且つプルスイッチを有した照明器具をリモコン型器具に仕様変更することができる。
【０００４】
また最近では、特開平７−８５７１９号や特開平１１−６６９４４号に記載されているように、プルスイッチに加えてリモコン制御機能を備えた照明器具が市場に登場してきた。
【０００５】
以上により、照明器具の点灯又は消灯の操作は、ワイヤレス信号送信器を用いた遠隔操作が可能となり、操作利便性が向上したばかりでなく、ワイヤレス信号送信器の電池切れや紛失時等でもプルスイッチを操作するだけで容易に照明器具の点灯／消灯操作を可能にしている。
【特許文献１】実用新案第３００７５９１号公報
【特許文献２】特開平７−８５７１９号公報
【特許文献３】特開平１１−６６９４４号公報
【発明の開示】
【発明が解決しようとする課題】
【０００６】
しかしながら、上記従来例では以下のような課題が存在する。まず、実用新案第３００７５９１号に記載されているようなアダプタであるが、ワイヤレス信号によるアダプタの操作は、アダプタ出力側への商用電源のＯＮ／ＯＦＦ制御及び常夜灯の点灯／消灯制御のみであり、主光源ランプの点灯状態を制御することはできない。つまり、主光源の点灯状態（全灯／調光点灯）の制御は結局のところプルスイッチで操作しなければならず、操作性の煩雑さは完全には解決できない。
【０００７】
次に、特開平７−８５７１９号に記載されているような照明器具であるが、ワイヤレス信号送信器での操作性は良いものの、プルスイッチによる制御手段は元々一般的なリモコン付照明器具に備えられている補助端子を利用したものであるため、プルスイッチによる操作では主光源の点灯／消灯のみの制御しかできない。つまり、プルスイッチ操作では主光源（蛍光灯ランプ）の点灯状態（全灯／調光点灯）の制御や常夜灯のような補助光源の点灯制御はできず、結局のところワイヤレス信号送信器での操作が必要になるため、操作性の煩雑さは完全には解決できない。
【０００８】
最後に、特開平１１−６６９４４号に記載されているような蛍光灯用点灯装置であるが、プルスイッチ及びリモコンスイッチを具備することにより、主光源の点灯状態制御（全灯／調光点灯）、常夜灯の点灯制御、消灯制御が可能であり、操作利便性は良いものの、特開平１１−６６９４４号の図４記載の回路図では、上記プルスイッチ及びリモコンスイッチが入力電源コネクタと安定器との間に接続されており、上記プルスイッチ及びリモコンスイッチの点灯制御手段はＡＣ電源経路の切替であることがわかる。周知のとおり、主光源点灯用の安定器は入力電流で１Ａ前後流れていることから電源開閉スイッチとしては、接点スイッチか半導体スイッチかを問わず大電流容量定格のスイッチが必要であり、コストや取付スペースの問題、及びスイッチ自体の発熱や寿命の問題がある。
【０００９】
本発明は従来技術の問題点に鑑みて考案されたものであり、その目的とするところは、主光源あるいは補助光源をも含めた消灯以外の複数の点灯状態の切替制御を、ワイヤレス信号送信器等を用いた遠隔リモコン操作、及び引き紐プルスイッチ等を用いた手動スイッチ操作のどちらでも可能とし、且つ低コスト化、省スペース化（小型化）、信頼性の向上を可能にする主光源及び補助光源用の点灯装置、主光源及び補助光源を含めた光源点灯装置、及びこの光源点灯装置を含む照明装置を提供することにある。
【課題を解決するための手段】
【００１０】
請求項１の発明によれば、上記の課題を解決するために、図１に示すように、商用電源ＡＣを直流電圧に変換する電源回路部３ａと、直流をスイッチングする半導体スイッチを備え出力側に少なくとも１つの光源１を接続する出力可変の点灯回路部３ｂと、ワイヤレス信号送信器Ｃからの操作信号を受信する受光部７およびこの受光部７が受信した操作信号に応じて前記点灯回路部３ｂ内の半導体スイッチの動作を制御あるいは停止させる制御部１０を具備する点灯出力制御回路部４とを備え、前記点灯出力制御回路部４は、手動スイッチ機構ＤからのＯＮ／ＯＦＦ電気信号によっても前記点灯回路部３ｂ内の半導体スイッチの動作を制御あるいは停止させるように構成し、ワイヤレス信号送信器Ｃあるいは手動スイッチ機構Ｄのどちらの操作であっても光源１が消灯状態以外で複数の点灯出力を切り換え可能にしたことを特徴とするものである。
【００１１】
また、請求項２の発明によれば、上記の課題を解決するために、図１に示すように、商用電源ＡＣを直流電圧に変換する主光源用の第１の電源回路部３ａと、商用電源ＡＣもしくは前記第１の電源回路部３ａに接続される補助光源用の第２の電源回路部６ａと、第１の電源回路部３ａ出力の直流電圧をスイッチングする半導体スイッチを備え出力側に少なくとも１つの主光源１を接続する出力可変の第１の点灯回路部３ｂと、入力側が補助光源用の第２の電源回路部６ａの出力に接続され出力側に補助光源２を接続する第２の点灯回路部６ｂと、ワイヤレス信号送信器Ｃからの操作信号を受信する受光部７、主光源１及び補助光源２の現在の点灯モードを記憶する記憶部８、主光源１及び補助光源２に対して予め設定した複数の点灯モード及び各点灯モードの切換え順序を記憶された保存部９、前記受光部７を介して前記ワイヤレス信号送信器Ｃから操作信号を受けると操作信号に対応した点灯モード信号を前記第１及び第２の点灯回路部３ｂ，６ｂに出力する制御部１０を具備する点灯出力制御回路部４とを備え、前記制御部１０は、手動スイッチ機構ＤからのＯＮ／ＯＦＦ電気信号によっても前記保存部９に記憶された切換え順序に従った点灯モードの切換えを可能にしたことを特徴とするものである。
【００１２】
ここで、主光源１としては、例えば、蛍光灯ランプを用いることができる。また、補助光源２としては、例えば、豆球または白熱灯または発光ダイオードなどを用いることができる。
【発明の効果】
【００１３】
請求項１の発明によれば、主光源に対する消灯以外の複数の点灯状態の切替制御が、ワイヤレス信号送信器等を用いた遠隔リモコン操作、及び引き紐プルスイッチ等を用いた手動スイッチ操作のどちらでも可能となり、操作利便性の向上が図れるとともに、主光源の消灯制御において電源開閉スイッチを使用しなくて済むようになったことで、低コスト化、省スペース化（小型化）、及び装置の信頼性の向上をも可能にした主光源用点灯装置を提供することができる。
【００１４】
請求項２の発明によれば、請求項１の効果に加えて、光源要素として補助光源が加わったことにより、点灯シーンのバリエーションが増え、照明演出の向上と用途の拡大が可能となる。
【発明を実施するための最良の形態】
【００１５】
（実施形態１）
以下、本発明の第１の実施形態を図１、図２を参照して説明する。本実施形態の照明装置は、照明器具Ａとワイヤレス信号送信器Ｃとで構成される。照明器具Ａは、例えば２重環形蛍光ランプのような主光源１と、豆球のような補助光源２と、主光源及び補助光源用点灯装置Ｂと、手動スイッチ機構Ｄとで構成されている。
【００１６】
主光源及び補助光源用点灯装置Ｂは、商用電源ＡＣの交流電圧を整流して、直流電圧を出力する第１の電源回路部３ａ、その直流電圧をスイッチングする少なくとも１つの半導体スイッチを備え、半導体スイッチでスイッチングすることにより高周波に変換して主光源１を高周波点灯させる出力可変の第１の点灯回路部３ｂと、主光源１の光出力を制御する主光源制御信号Ｓ１および補助光源２の点灯／消灯を制御する補助光源制御信号Ｓ２を発生する点灯出力制御回路部４と、点灯出力制御回路部４の主光源制御信号Ｓ１に応じたスイッチング周波数で第１の点灯回路部３ｂ内の半導体スイッチをオン／オフする駆動回路部５と、商用電源ＡＣから分岐して形成した補助光源２点灯用の第２の電源回路部６ａと、点灯出力制御回路部４の補助光源制御信号Ｓ２に応じて補助光源２を点灯／消灯させる第２の点灯回路部６ｂとで構成されている。
【００１７】
駆動回路部５は、Ｖ／Ｆ変換回路を備え、点灯出力制御回路部４からの主光源制御信号Ｓ１の電圧値に応じてスイッチング周波数を変化させる機能を有しており、第１の点灯回路部３ｂ内の半導体スイッチのスイッチング周波数を変化させ、主光源１の光出力を変化させる。
【００１８】
点灯出力制御回路部４は、マイクロコンピュータなどから構成され、このマイクロコンピュータは専用のソフトウェアにて動作し、ワイヤレス信号送信器Ｃからの操作信号、例えば赤外線などの光信号よりなるワイヤレス信号を受信する受光部７、現在の主光源１及び補助光源２の点灯モードを記憶する記憶部８、主光源１及び補助光源２に対して予め設定した複数の点灯モード及び点灯モードの切換え順序を記憶した保存部９、受光部７を介してワイヤレス信号送信器Ｃからの操作信号を受けて操作信号に応じた主光源制御信号Ｓ１、補助光源制御信号Ｓ２を発生する制御部１０から成る。尚、主光源制御信号Ｓ１は２系統の信号で構成されており（図示せず）、１つは第１の点灯回路部３ｂ内の半導体スイッチの駆動（Ｈ）／停止（Ｌ）を制御する主光源駆動信号であり、２つ目には第１の点灯回路部３ｂ内の半導体スイッチのスイッチング周波数を適宜制御する主光源調光信号である。また、補助光源制御信号Ｓ２については、点灯／停止の制御のみであることから補助光源駆動信号のみで構成されている。
【００１９】
一方、ワイヤレス信号送信器Ｃは手で握れる程度の大きさに形成された扁平な器体Ｃ０を有し、器体Ｃ０の操作面には、主光源１を全点灯させるために押操作される全点灯スイッチＣ１と、主光源１を全点灯時よりも暗い所定の光出力で点灯させるために押操作される調光点灯スイッチＣ２と、補助光源２を点灯させるために押操作される豆球スイッチＣ３と、主光源１及び補助光源２を消灯させるために押操作される消灯スイッチＣ４と、保存部９に予め設定された点灯モードの切換え順序に対して逆送りで点灯モードを切り換えるために押操作されるアップスイッチＣ５と、順送りで点灯モードを切り換えるために押操作されるダウンスイッチＣ６とが設けられている。
【００２０】
尚、上記Ｃ１からＣ４のスイッチは、スイッチを押すだけで所望の点灯モードにダイレクトに切換えが可能であることから、以後は総称としてダイレクトスイッチと呼び、Ｃ１からＣ４のスイッチを押す操作をダイレクト操作と呼ぶことにする。
【００２１】
以下にワイヤレス信号送信器Ｃでの点灯制御動作について図２を参照して説明する。図２に示すように、保存部９にはモード１からモード４までの４つの点灯モードが設定されており、各点灯モードの切換え順序はモード１が１番、モード２が２番、モード３が３番、モード４が４番である。
【００２２】
ここでワイヤレス信号送信器Ｃの全点灯スイッチＣ１が押操作されると、ワイヤレス信号送信器Ｃから全点灯状態（モード１）に切り換える操作信号がワイヤレス信号により送信され、受光部７がこのワイヤレス信号を受信して制御部１０に出力する。制御部１０はワイヤレス信号により送信された操作信号に基づいて、保存部９から全点灯状態の主光源制御信号Ｓ１の設定値（表１の太枠部分）を読み出し、この主光源制御信号Ｓ１を駆動回路部５に出力する。
【表１】
2006190657.tif 000003
【００２３】
駆動回路部５は、制御部１０の主光源制御信号Ｓ１に応じた周波数で第１の点灯回路部３ｂ内の半導体スイッチをオン／オフさせ、主光源１を全点灯状態で点灯させる。またこの時、制御部１０は補助光源２を消灯させる補助光源制御信号Ｓ２を第２の点灯回路部６ｂに出力し、補助光源２を消灯させる。また、制御部１０は切換え後の点灯モードに関する情報を記憶部８に出力し、切換え後の点灯モードのみを記憶させる。
【００２４】
次に、ワイヤレス信号送信器Ｃの調光点灯スイッチＣ２が押操作されると、ワイヤレス信号送信器Ｃから調光状態に切り換える操作信号（モード２）がワイヤレス信号により送信され、受光部７がこのワイヤレス信号を受信して制御部１０に出力する。制御部１０はワイヤレス信号により送信された操作信号に基づいて、保存部９から調光点灯状態の主光源制御信号Ｓ１の設定値（表２の太枠部分）を読み出し、この主光源制御信号Ｓ１を駆動回路部５に出力する。
【００２５】
駆動回路部５は、制御部１０の主光源制御信号Ｓ１に応じた周波数で第１の点灯回路部３ｂ内の半導体スイッチをオン／オフさせ、主光源１を調光点灯状態で点灯させる。またこの時、制御部１０は補助光源２を消灯させる補助光源制御信号Ｓ２を第２の点灯回路部６ｂに出力するため、補助光源２は消灯のままである。また制御部１０は切換え後の点灯モードに関する情報を記憶部８に出力し、先のモード１の情報を消去し、代わりに切換え後のモード２の情報のみを記憶させる。
【表２】
2006190657.tif 000004
【００２６】
また、豆球スイッチＣ３が押操作されると、ワイヤレス信号送信器Ｃから補助光源２を点灯させる操作信号がワイヤレス信号により送信され、受光部７がこのワイヤレス信号を受信して制御部１０に出力する。制御部１０はワイヤレス信号により送信された操作信号に基づいて、保存部９からモード３のデータに従って補助光源２を点灯させる補助光源制御信号Ｓ２の設定値を読み出し、補助光源制御信号Ｓ２を第２の点灯回路部６ｂに出力し、点灯回路部６ｂが補助光源２を点灯させる。またこの時、制御部１０は駆動回路部５を用いて第１の点灯回路部３ｂの発振動作を停止させ、主光源１を消灯させる。更に第１の電源回路部３ａもその動作を停止させる。また制御部１０は切換え後の点灯モードに関する情報を記憶部８に出力し、先のモード２の情報を消去し、代わりに切換え後のモード３の情報のみを記憶させる。
【００２７】
さらに、消灯スイッチＣ４が押操作されると、ワイヤレス信号送信器Ｃから主光源１及び補助光源２を共に消灯させる操作信号がワイヤレス信号により送信され、受光部７がこのワイヤレス信号を受信して制御部１０に出力する。制御部１０はワイヤレス信号により送信された操作信号に基づいて、保存部９からモード４のデータに従って補助光源２を消灯させる補助光源制御信号Ｓ２の設定値を読み出し、補助光源制御信号Ｓ２を第２の点灯回路部６ｂに出力し、補助光源２を消灯させる。またこの時、制御部１０は駆動回路部５を用いて第１の点灯回路部３ｂの発振動作を停止させ、主光源１を消灯させる。更に第１の電源回路部３ａもその動作を停止させた方が望ましい。また制御部１０は切換え後の点灯モードに関する情報を記憶部８に出力し、先のモード３の情報を消去し、代わりに切換え後のモード４の情報のみを記憶させる。
【００２８】
以上がＣ１〜Ｃ４のダイレクトスイッチによるダイレクト操作に関する動作説明であり、次にアップスイッチＣ５及びダウンスイッチＣ６が押操作された場合の動作について説明する。
【００２９】
まず、点灯モードが消灯状態（モード４）であると仮定して、アップスイッチＣ５が押操作されると、ワイヤレス信号送信器Ｃからアップスイッチ操作信号がワイヤレス信号により送信され、受光部７がこのワイヤレス信号を受信して制御部１０に出力する。制御部１０はワイヤレス信号により送信された操作信号に基づいて、記憶部８に記憶された今現在の点灯モード（モード４）を読み出す。そして読み出した現在の点灯モードについて保存部９の複数の点灯モードデータと照合し、切換え順序とは逆順序のモード３の設定値である主光源制御信号Ｓ１、補助光源制御信号Ｓ２を読み出し、駆動回路部５及び第２の点灯回路部６ｂに出力する。これにより補助光源２が点灯する。
【００３０】
そして再度アップスイッチＣ５が押操作されると上記と同様の過程により、制御部１０はモード２の設定値である主光源制御信号Ｓ１、補助光源制御信号Ｓ２を読み出し、駆動回路部５及び第２の点灯回路部６ｂに出力して、主光源１が調光状態で点灯すると共に、補助光源２が消灯される。
【００３１】
更に再度アップスイッチＣ５が押操作されると上記と同様の過程により、制御部１０はモード１の設定値である主光源制御信号Ｓ１、補助光源制御信号Ｓ２を読み出し、駆動回路部５及び第２の点灯回路部６ｂに出力して、主光源１が全点灯状態で点灯する。このとき、補助光源２は消灯のままである。
【００３２】
次に点灯モードが主光源１の全点灯状態（モード１）であると仮定して、ダウンスイッチＣ６が押操作されると、ワイヤレス信号送信器Ｃからダウンスイッチ操作信号がワイヤレス信号により送信され、受光部７がこのワイヤレス信号を受信して制御部１０に出力する。制御部１０はワイヤレス信号により送信された操作信号に基づいて、記憶部８に記憶された今現在の点灯モード（モード１）を読み出す。そして読み出した現在の点灯モードについて保存部９の複数の点灯モードデータと照合し、切換え順序通りにモード２の設定値である主光源制御信号Ｓ１、補助光源制御信号Ｓ２を読み出し、駆動回路部５及び第２の点灯回路部６ｂに出力する。これにより、主光源１が調光点灯状態に切り換わり、補助光源２は消灯のままである。
【００３３】
そして再度ダウンスイッチＣ６が押操作されると上記と同様の過程により、制御部１０はモード３の設定値である主光源制御信号Ｓ１、補助光源制御信号Ｓ２を読み出し、駆動回路部５及び第２の点灯回路部６ｂに出力して、主光源１が消灯すると共に、補助光源２が点灯される。
【００３４】
更に再度ダウンスイッチＣ６が押操作されると上記と同様の過程により、制御部１０はモード４の設定値である主光源制御信号Ｓ１、補助光源制御信号Ｓ２を読み出し、駆動回路部５及び第２の点灯回路部６ｂに出力して、主光源１及び補助光源２が共に消灯となる。
以上がＣ５、Ｃ６のアップ・ダウンスイッチによる逆送り、及び、順送り操作に関する動作説明である。
【００３５】
ところで、本発明では上記ワイヤレス信号送信器による点灯制御に加えて、手動スイッチ機構Ｄによる操作でも点灯制御することが可能となるようにした。以下に手動スイッチ機構による点灯制御動作について説明する。手動スイッチ機構Ｄは、例えばターコイズストロークスイッチであり、松下電工（株）製の品番ＡＳＱ１０４１０などがある。ＡＳＱ１０４１０は微小負荷対応の高接触信頼性スイッチであり、図１の点灯出力制御回路部４を構成するマイクロコンピュータなどのように微弱電流でスイッチの入・切をしなければならない場合に適している。またＡＳＱ１０４１０はピン押釦型であり、また接点接触圧力が操作ストロークに依存しないため全ストローク中での使用可能領域が広く、ピン押釦部を押し当てる押し釦駆動部機構と、その押し釦駆動部に取り付けられた引き紐とを備えることにより、照明装置のプルスイッチとして構成することが可能であり、引き紐を引っ張った際のクリック感を出すのにも適している。
【００３６】
手動スイッチ機構Ｄのスイッチ両端は、図１のように点灯出力制御回路部４内の制御部１０に接続されている。手動スイッチ機構Ｄは何も操作していない場合にはスイッチ接点が開放状態（ＯＦＦ状態）となっており、したがってＯＦＦ電気信号が制御部１０に出力されている。また引き紐等を引っ張るなどの操作によりピン押釦部が押されるとスイッチ接点が短絡状態（ＯＮ状態）となり、ＯＮ電気信号が制御部１０に出力される。
【００３７】
制御部１０は手動スイッチ機構ＤからのＯＮ／ＯＦＦ電気信号を常にモニタしており、ＯＦＦ電気信号からＯＮ電気信号に切替わったことを検知すると、先のダウンスイッチ操作の時と同様に記憶部８に記憶された今現在の点灯モードを読み出す。そして読み出した現在の点灯モードについて保存部９の複数の点灯モードデータと照合し、切換え順序通りに次の点灯モードの設定値である主光源制御信号Ｓ１、補助光源制御信号Ｓ２を読み出し、駆動回路部５及び第２の点灯回路部６ｂに出力する。これにより主光源１及び補助光源２の点灯状態を切り替える。
【００３８】
例えば、現在の点灯状態が主光源１の全点灯状態（モード１）であると仮定して、手動スイッチ機構Ｄを１回操作すると、モード２として主光源１が調光点灯状態に変化する。次に再度手動スイッチ機構Ｄを１回操作すると、モード３として主光源１が消灯し、補助光源２が点灯する。そして更に手動スイッチＤを１回操作すると、モード４として主光源１、補助光源２が共に消灯する。そして更に手動スイッチＤを１回操作すると、モード１として再び主光源１が全点灯する。以上の動作はワイヤレス信号送信器Ｃを操作した時の点灯制御も含めて図２の状態遷移図に示したとおりである。
【００３９】
尚、本実施形態では補助光源２として豆球を点灯させるための第２の電源回路部６ａ及び第２の点灯回路部６ｂを設定していたが、主光源１のみの場合でも良く、また主光源１についても本実施形態では１灯のみの構成であったが、複数灯を点灯させるような回路構成としても本発明の技術思想は全く変わるものではない。
【００４０】
更には、主光源１の光出力を制御する方法として本実施形態では第１の点灯回路部３ｂ内の半導体スイッチのスイッチング周波数を制御していたが、主光源１の光出力を変化させる手段は、半導体スイッチのスイッチング周波数の他に、スイッチングのデューティー比を変化させる方法や、第１の電源回路部３ａの出力電圧を変化させる方法等がある。以上のような調光制御方法は既に周知の技術であり、主光源の光出力制御方法がいかなるものであっても本発明の技術思想は変わらない。但し、第１の電源回路部３ａの出力電圧を変化させる方法を採用する場合には、例えば第１の電源回路部３ａの構成として商用電源ＡＣを整流するダイオードブリッジよりなる整流器と、整流器の出力端間に接続するＤＣ−ＤＣコンバータとで構成して出力直流電圧を可変にすると共に、制御部１０からは主光源制御信号Ｓ１の他に別途、主光源制御信号Ｓ１１を設定し、この主光源制御信号Ｓ１１に応じて出力直流電圧を変化させるようにしても良い。
【００４１】
以上、本実施形態では、主光源及び補助光源に対する消灯以外の複数の点灯状態の切替制御が、ワイヤレス信号送信器を用いた遠隔リモコン操作、及び引き紐プルスイッチ等を用いた手動スイッチ操作のどちらでも可能としたことで、照明装置の点灯制御の切替操作利便性が向上すると共に、主光源の消灯制御については半導体スイッチの動作を停止させるようにしたことで商用電源の電源開閉スイッチが不要となり、低コスト化、省スペース化（小型化）、及び照明装置の信頼性向上をも可能にした主光源及び補助光源用の点灯装置、主光源及び補助光源点灯装置、及び照明装置を提供することができる。
【００４２】
（実施形態２）
以下、本発明の第２の実施形態を図３を参照して説明する。本実施形態の照明装置は、照明器具Ａとワイヤレス信号送信器Ｃとで構成される。照明器具Ａは、例えば２重環形蛍光ランプのような主光源１と、豆球のような補助光源２と、主光源及び補助光源用点灯装置Ｂと、手動スイッチ機構Ｄとで構成される。本実施形態（図３）で、実施形態１（図１）からの変更点は以下の通りである。
【００４３】
まず、補助光源２を点灯させるための第２の電源回路部６ａは第１の電源回路部３ａの出力両端に接続し、第１の電源回路部３ａの出力である直流電圧を受けて第２の点灯回路部６ｂに必要な出力電圧を発生するようにしている。
【００４４】
また、主光源１を点灯させるための第１の点灯回路部３ｂ内に、点灯回路部内の異常状態を検出し、検出信号を出力するための異常検出信号生成部１１を設定した。尚、上記の異常とは例えば主光源１が寿命末期状態になった場合、あるいは主光源１を第１の点灯回路部３ｂからその接続を外した場合、主光源１が蛍光ランプの場合にはランプ両端にあるフィラメントが断線した場合などが考えられるが、本実施形態ではその異常が何であるのかは特に限定するものではない。また、異常検出信号生成部１１は第１の点灯回路部３ｂの異常有無をＯＮ／ＯＦＦ電気信号で出力するように設定されている。
【００４５】
点灯出力制御回路部４内にＯＮ／ＯＦＦ電気信号判別部１２を設定し、ＯＮ／ＯＦＦ電気信号判別部１２に入力されるＯＮ／ＯＦＦ電気信号の信号源がどこなのかを判別する機能を有し、また判別した内容を制御部１０に出力するように構成されている。上記異常検出信号生成部１１の出力と手動スイッチ機構Ｄの出力は、上記ＯＮ／ＯＦＦ電気信号判別部１２にＯＲ構成で接続されている。
【００４６】
本実施形態の動作についてであるが、第１の電源回路部３ａ、第２の電源回路部６ａ、第２の点灯回路部６ｂ、及びワイヤレス信号送信器Ｃを用いた点灯制御に関しては実施形態１と同じであるため、ここでは省略することとし、以下では第１の点灯回路部３ｂ内に設定した異常検出信号生成部１１、点灯出力制御回路部４内に設定したＯＮ／ＯＦＦ電気信号判別部１２、及び手動スイッチ機構Ｄの操作による点灯制御の動作について述べる。
【００４７】
異常検出信号生成部１１は、第１の点灯回路部３ｂ内にて異常が発生していない場合には常時ＯＦＦ電気信号が出力され、異常が発生した場合にはＯＮ電気信号が出力されるようになっている。したがって点灯出力制御回路部４内のＯＮ／ＯＦＦ電気信号判別部１２は、ＯＦＦ電気信号が入力されている限りは特に動作しないが、ＯＮ電気信号が入力された場合には、ＯＮ信号が入力されたことを制御部１０に出力すると共に、そのＯＮ電気信号の信号源が異常検出信号生成部１１なのか、もしくは手動スイッチ機構Ｄなのかを判別するための判別動作を開始させる。
【００４８】
制御部１０は、ＯＮ電気信号が入力されたことを受けて、第１の点灯回路部３ｂに対して保護動作に移行させるために主光源制御信号Ｓ１を出力する。そして、第１の点灯回路部３ｂは保護動作を実施する旨の主光源制御信号Ｓ１を受けて保護動作を実施する。ここで、保護動作とは例えば半導体スイッチ動作あるいは回路動作を停止する、あるいは所定の期間毎に動作と停止を繰り返す間欠動作のことを意味する。そして、第１の点灯回路部３ｂが保護動作に移行すると回路動作は一旦停止することにより異常検出信号生成部１１からの出力信号は再びＯＮ電気信号からＯＦＦ電気信号に切替わることになる。
【００４９】
一方、手動スイッチ機構Ｄの操作によってもＯＮ／ＯＦＦ電気信号がＯＮ／ＯＦＦ電気信号判別部１２に出力される。実施形態１でも述べたように、手動スイッチ機構Ｄを操作していない場合は常時ＯＦＦ電気信号が出力されており、引き紐等を引っ張ることにより手動スイッチ釦が押されてＯＮ電気信号が出力される。そして引き紐を戻すと再びＯＦＦ電気信号が出力される。
【００５０】
ＯＮ／ＯＦＦ電気信号判別部１２は、入力されるＯＮ／ＯＦＦ電気信号の信号源がどこなのかを判別し、最終的に保護動作を継続させるのか、あるいは点灯モードを順送りで切り替えるのかということについて制御部１０へ出力する必要がある。本実施形態では、ＯＮ／ＯＦＦ電気信号判別部１２が入力されるＯＮ／ＯＦＦ電気信号の信号源の判別を行うための判別方法として、ＯＦＦ電気信号からＯＮ電気信号に切替わってからのＯＮ電気信号継続時間をモニタし、継続時間の大小によって判別する方法を採用することとし、ＯＮ／ＯＦＦ電気信号判別部１２がその機能を有するように設定した。
【００５１】
以上により、例えばマイクロコンピュータなどから構成される点灯出力制御回路部４について、本来であれば異常検出信号を入力する検出ポート（端子）と、手動スイッチ機構Ｄからの操作信号を入力する入力ポート（端子）とを別々に設定する必要があるところを、本実施形態のように別々のＯＮ／ＯＦＦ電気信号をＯＲ構成で接続することでポート（端子）数の削減が可能となり、実施形態１の効果に加えてより一層の低コスト化と省スペース化（小型化）を図ることができる。尚、本実施形態では異常検出信号生成部１１は第１の点灯回路部３ｂ内に設定したが、異常検出の検出対象と検出後の保護動作を考慮すれば、特に設定箇所は限定するものではなく、例えば第２の電源回路部６ａであっても良い。また、第１の電源回路部３ａあるいは第２の点灯回路部６ｂであっても良い。
【００５２】
（実施形態３）
以下、本発明の第３の実施形態を図４、図５を参照して説明する。本実施形態では、第２の点灯回路部６ｂに異常検出信号生成部１１ｂを設けたものであり、補助光源としての豆球ＬＡ２に過電流が流れると、半導体スイッチＱ１５１をＯＦＦさせる。豆球点灯時には、制御部１０からの制御信号Ｓ２により半導体スイッチＱ１５１がＯＮしている。豆球ＬＡ２に過電流が流れると、抵抗Ｒ１５１の両端電圧が上昇し、抵抗Ｒ１５２，Ｒ１５３で分圧され、コンデンサＣ１５１の電圧が上昇することで、トランジスタＱ１５２がＯＮとなる。これにより、ＯＮ電気信号がＯＮ／ＯＦＦ信号判別部１２に入力される。制御部１０では、ＯＮ／ＯＦＦ電気信号がＯＦＦ状態からＯＮ状態に切り替わると、補助光源の点灯回路部６ｂの半導体スイッチＱ１５１をＯＦＦさせる。すると、ＯＮ／ＯＦＦ電気信号はＯＮ状態からＯＦＦ状態に戻るから、異常検出信号生成部１１ｂがＯＮ電気信号の信号源であったことが分かる。
【００５３】
本実施形態の特徴である、点灯出力制御回路部４内のＯＮ／ＯＦＦ電気信号判別部１２の動作について図５を参照して説明する。実施形態２でも述べたように、ＯＮ／ＯＦＦ電気信号判別部１２はＯＮ／ＯＦＦ電気信号の判別方法としてＯＦＦ電気信号からＯＮ電気信号に切替わってからのＯＮ電気信号継続時間をモニタし、ＯＮ電気信号継続時間の大小によって判別する方法を採用することとし、ＯＮ／ＯＦＦ電気信号判別部１２がその機能を有するように設定している。具体的には、本実施形態ではＯＮ／ＯＦＦ電気信号源の判別基準として判別時間の閾値時間ｔを設定するとともに、ＯＦＦ電気信号からＯＮ電気信号に切替わってからのＯＮ電気信号継続時間が閾値時間ｔよりも短いか長いかで判別するようにしている。更には図５（ａ）に示したようなＯＮ電気信号継続時間が閾値時間ｔよりも短い場合には、信号源は異常検出信号生成部からの信号であると認識し、また図５（ｂ）に示したようなＯＮ電気信号継続時間が閾値時間ｔよりも長い場合には、信号源は手動スイッチ機構Ｄからの信号であると認識するように設定する。
【００５４】
従ってＯＮ／ＯＦＦ電気信号判別部１２が図５（ａ）のような信号を受けると、その信号源は異常検出信号生成部であることを制御部１０に出力する。制御部１０はそれを受けて一旦停止した半導体スイッチＱ１５１の動作に対して引き続き保護動作を行うようにする。また、ＯＮ／ＯＦＦ電気信号判別部１２が図５（ｂ）のような信号を受けると、その信号源は手動スイッチ機構Ｄであることを制御部１０に出力する。制御部１０はそれを受けると記憶部８に記憶された今現在の点灯モード（モード３）を読み出す。そして読み出した現在の点灯モードについて保存部９の複数の点灯モードデータと照合し、切換え順序通りにモード４の設定値である主光源制御信号Ｓ１、補助光源制御信号Ｓ２を読み出し、第１の駆動回路部５及び第２の点灯回路部６ｂに出力する。これにより、蛍光ランプＬＡ１、及び豆球ＬＡ２は共に消灯されることとなる。
【００５５】
更にＯＮ／ＯＦＦ電気信号判別部１２が上記ＯＮ電気信号継続時間をモニタする手段の一例としては図５（ｃ）に示した手段がある。つまり、ＯＦＦ電気信号からＯＮ電気信号に切替わったことを受けて、ＯＮ／ＯＦＦ電気信号判別部１２では所定の短い時間毎にＯＮ／ＯＦＦ信号の状態を確認するように設定し（図中の矢印）、実際の信号判別はモニタ開始からのＯＮ電気信号であることの一致回数で判断するようにしても良い。例えば５回一致までは異常検出信号生成部１１、１０回一致すれば手動スイッチ機構Ｄ、と判断する等である。
【００５６】
更にＯＮ／ＯＦＦ電気信号判別部１２の動作アルゴリズムをフローチャートにすると、一例として図６、図７のようになる。図６は豆球点灯モードでのフローチャートであって、ＯＮ／ＯＦＦ電気信号の判別も含めた内容となっており、図７は豆球点灯モード以外の点灯モード（例えば主光源点灯モードあるいは消灯モード）でのフローチャートを示している。
【００５７】
図６に示した豆球点灯モードでのフローチャートについて説明すると、ＯＮ／ＯＦＦ電気信号判別部１２は、入力信号がＯＦＦ状態からＯＮ状態になったことを検出すると、ＯＮ信号入力有りと判定し、制御部１０へ出力する。制御部１０では保護動作を開始する。ここでは、半導体スイッチＱ１５１をＯＦＦさせる。そして、ＯＮ信号継続時間（Ｔｏｎ）の測定を開始する。ＯＮ信号継続時間Ｔｏｎが閾値時間ｔに達するまでに、入力信号がＯＮ状態からＯＦＦ状態に切り替わった場合、ＯＮ信号発信元は異常検出信号生成部１１ｂであると認識し、制御部１０へ出力する。この場合、制御部１０は保護動作を継続維持する。また、豆球点灯モードも維持する。
【００５８】
ＯＮ信号継続時間Ｔｏｎが閾値時間ｔ以上であれば、図５（ｃ）に示すように、一定時間毎にＯＮ／ＯＦＦ信号の状態を確認し、入力信号がＯＮ状態からＯＦＦ状態に切り替わったことを検出すると、ＯＮ信号発信元は手動スイッチ機構Ｄであると認識し、制御部１０へ出力する。この場合、制御部１０は保護動作を解除し、次の点灯モードへ移行するための点灯制御信号を出力し、点灯モードを切り替える。
【００５９】
本実施形態では、手動スイッチ機構Ｄと豆球点灯回路部の異常検出信号部１１ｂとでＯＮ／ＯＦＦ電気信号入力系をＯＲ接続しているため、豆球点灯モード（図６）においてはＯＮ／ＯＦＦ電気信号判別部１２によるＯＮ／ＯＦＦ電気信号発生元の判別が必要であるが、豆球点灯モード以外の点灯モード（図７）においてはＯＮ／ＯＦＦ電気信号発生元を判別する必要がないため、ＯＮ／ＯＦＦ電気信号判別部１２にＯＮ信号が入力された場合には、即時、手動スイッチ機構Ｄからの信号と認識して次の点灯モードへ移行制御するようにしても何ら支障はない。以上のように、本実施形態では、異常検出信号生成部１１ｂからのＯＮ／ＯＦＦ電気信号と手動スイッチ機構ＤからのＯＮ／ＯＦＦ電気信号との判別方法について、具体的な回路構成事例を述べた。
【００６０】
このように、判別手段はＯＮ電気信号継続時間に対して信号判別閾値時間ｔを設定し、閾値時間ｔよりも短い場合には異常検出信号生成部からの信号であると認識し、逆に閾値時間ｔよりも長い場合には手動スイッチ機構Ｄからの信号であると認識するようにしたことで、１つは異常を検出してから保護動作に移行するまでの検出時間の設定が上記閾値時間ｔを意識することなく短くすることが可能であり、異常検出回路の設計自由度が向上するとともに、異常が発生した場合の電子部品に対する電気的ストレスを軽減することにもつながることから、照明装置としても信頼性が向上するという効果が得られる。２つ目には、手動スイッチ機構Ｄは例えば引き紐等を用いたプルスイッチ構造とした場合に、引き紐を引っ張った際の操作感（クリック感）を持たせて高級感を出すためには、スイッチ操作方向に対してある程度の荷重抵抗力と操作ストローク幅が必要であり、それらを満足しようとすると手動スイッチ機構Ｄを操作した際のＯＮ電気信号継続時間が長くなってしまうのだが、本実施形態であれば上記閾値時間ｔを意識することなく手動スイッチ機構Ｄの操作性設計が容易になるという効果も得られる。
【００６１】
また、本実施形態では、補助光源過電流検出機能を有することで、補助光源に異常があった場合でも補助光源点灯回路部の電気的ストレスを軽減することができ、一層の装置の信頼性向上が可能となる。
【００６２】
なお、トランジスタＱ１５２のエミッタ側は回路のグランドとなっており、ダイオードＤ１５１，Ｄ１５２は商用電源ＡＣを全波整流して第２の電源回路部６ａを構成している。すなわち、半導体スイッチＱ１５１がＯＮのときには、商用交流電源ＡＣの一方の極性では、ダイオードＤ１５１、豆球ＬＡ２、半導体スイッチＱ１５１、抵抗Ｒ１５１、ダイオードＤ４の経路でランプ電流が流れ、他方の極性では、ダイオードＤ１５２、豆球ＬＡ２、半導体スイッチＱ１５１、抵抗Ｒ１５１、ダイオードＤ２の経路でランプ電流が流れる。
【００６３】
商用交流電源ＡＣの両端には、ＦＵＳＥ（電流ヒューズ）を介してＺＮＲ（サージアブソーバ）が接続され、過電流及び過電圧保護としている。ＺＮＲの両端にはコンデンサＣ１、ラインフィルタＬＦ１が接続され、雑音発生防止用のフィルタ回路が構成される。ダイオードＤ１〜Ｄ４は整流器を構成し、商用電源ＡＣの交流電圧を脈流電圧に整流し出力する全波整流の機能を果たす。Ｃ２は高周波電流バイパス用のコンデンサである。
【００６４】
コンデンサＣ２の両端には少なくとも１つのスイッチング素子を含むＤＣ−ＤＣコンバータが接続される。図示例におけるＤＣ−ＤＣコンバータは、昇圧チョッパ回路構成であって、インダクタＬ１と半導体スイッチ素子（例えばＭＯＳＦＥＴ）よりなるスイッチング素子Ｑ１とダイオードＤ５と平滑コンデンサＣ３、及びスイッチング素子Ｑ１のソース抵抗Ｒ１とで構成され、スイッチング素子Ｑ１が高周波でオン・オフされることにより、平滑用コンデンサＣ３には商用交流電源ＡＣの整流電圧よりも昇圧された直流電圧が得られる。スイッチング素子Ｑ１のオン／オフ動作を駆動制御する駆動回路部５ａは、そのオン時間幅を適宜変化させることにより、平滑用コンデンサＣ３に充電される直流電圧を制御することが可能である。
【００６５】
第１の電源回路部３ａの出力両端には、スイッチング素子Ｑ２，Ｑ３（例えばＭＯＳＦＥＴ）とスイッチング素子Ｑ３のソース抵抗Ｒ２の直列回路が接続されている。スイッチング素子Ｑ２，Ｑ３は、高周波で交互にオン／オフ動作を繰り返すよう制御される。以上により、スイッチング素子Ｑ３の両端に接続された負荷回路に高周波電力を供給するためのインバータ回路が構成される。また、スイッチング素子Ｑ２，Ｑ３のオン／オフ動作を駆動制御する駆動回路部５ｂは、その動作周波数を適宜変化させることによりスイッチング素子Ｑ３の両端に接続された負荷回路に供給する高周波電力を制御することが可能である。
【００６６】
インバータ回路のスイッチング素子Ｑ３には、共振用インダクタＬ２と共振用コンデンサＣ４の直列回路が接続される。また、共振用コンデンサＣ４の両端にはコンデンサＣ５と昇圧トランスＴ１の１次巻線ｎ１（Ｔ１）の直列回路が接続される。そして、昇圧トランスＴ１の１次巻線ｎ１（Ｔ１）の両端には、コンデンサＣ６、蛍光ランプＬＡ１、及び昇圧トランスＴ１の２次巻線ｎ２（Ｔ１）の直列回路が接続され、以上により点灯負荷回路が構成される。蛍光ランプＬＡ１の始動はインダクタＬ２とコンデンサＣ４との共振動作によりコンデンサＣ４の両端に高周波電圧が発生し、昇圧トランスＴ１により昇圧されて蛍光ランプＬＡ１の両端に印加される。また、蛍光ランプＬＡ１が点灯すると、上記インダクタＬ２とコンデンサＣ４の共振系に、コンデンサＣ６、蛍光ランプＬＡ１を加えた点灯共振条件により蛍光ランプＬＡ１は点灯を維持する。尚、Ｔ１はオートトランス構成であり、１次巻線ｎ１（Ｔ１）に流れる電流と２次巻線ｎ２（Ｔ１）に流れる電流は逆位相となり、結果として昇圧トランスＴ１の１次側電流がほぼ相殺される構成であり、昇圧トランスＴ１の温度上昇を軽減している。また蛍光ランプＬＡ１の両端にはフィラメントが設けられており、インダクタＬ２の２次巻線からそれぞれコンデンサＣ７，Ｃ８を介してフィラメント電流が流れる構成としている。
【００６７】
（実施形態４）
以下、本発明の第４の実施形態を図８を参照して説明する。本実施形態は、実施形態３と同じく異常検出信号生成部１１の出力と手動スイッチ機構Ｄの出力をＯＮ／ＯＦＦ電気信号判別部１２にＯＲ構成で接続し、ＯＮ／ＯＦＦ電気信号の入力端子を兼用化した具体的回路事例について示したものである。本実施形態では、主光源ＬＡ１の寿命末期時を検出するための異常検出信号生成部１１ａを付加し、異常検出信号生成部１１ａと手動スイッチ機構Ｄとで出力をＯＲ接続している。
【００６８】
異常検出信号生成部１１ａの回路動作であるが、主光源ＬＡ１が正常点灯の場合と寿命末期の場合とで、主光源ＬＡ１の両端間に発生する電圧に違いがあることを利用して検出動作させる。主光源ＬＡ１の両端電圧は昇圧トランスＴ１の３次巻線ｎ３（Ｔ１）にてモニタする。３次巻線ｎ３（Ｔ１）の一端は回路グランドに接続し、他方端は整流ダイオードＤ５１、ツェナーダイオードＺＤ５１、抵抗Ｒ５１，Ｒ５２の直列回路を接続する。ツェナーダイオードＺＤ５１のツェナー電圧値は、主光源ＬＡ１が正常点灯の場合にはツェナーダイオードＺＤ５１がＯＮせず、寿命末期になった場合にのみＯＮするような電圧値に適宜設定している。
【００６９】
したがって、主光源ＬＡ１が正常点灯の場合には抵抗Ｒ５２の両端に電圧が発生せず、半導体スイッチＱ５１はＯＦＦを維持するが、主光源ＬＡ１が寿命末期になると、抵抗Ｒ５２の両端に電圧が発生し、半導体スイッチＱ５１がＯＮすることになる。半導体スイッチＱ５１がＯＮすることによってＯＮ電気信号がＯＮ／ＯＦＦ信号判別部１２に入力される。制御部１０では、ＯＮ／ＯＦＦ電気信号がＯＦＦ状態からＯＮ状態に切替わると、第１電源回路部３ａ内の半導体素子（Ｑ１）、及び第１点灯回路部３ｂ内の半導体素子（Ｑ２及びＱ３）をオフさせる主光源制御信号Ｓ１１，Ｓ１を出力するため、主光源ＬＡ１は消灯する。第１点灯回路部３ｂ内の半導体素子（Ｑ２及びＱ３）がオフとなると、昇圧トランスＴ１の３次巻線ｎ３（Ｔ１）間には電圧が発生しなくなるため、半導体スイッチＱ５１はＯＦＦとなり、ＯＮ／ＯＦＦ電気信号はＯＮ状態からＯＦＦ状態に戻るから、異常検出信号生成部１１ａがＯＮ電気信号の信号源であったことが分かる。ＯＮ／ＯＦＦ電気信号判別部１２によるＯＮ／ＯＦＦ電気信号の判別手段は、実施形態３で述べた図５と同様の判別方法で良い。
【００７０】
尚、図８の回路図の構成については、上述の異常検出信号生成部１１ａの追加及び手動スイッチ機構Ｄの接続位置以外は実施形態３で述べた図４と同様であるため、説明は省略する。
【００７１】
更にＯＮ／ＯＦＦ電気信号判別部１２の動作アルゴリズムをフローチャートにすると、一例として図９，図１０のようになる。図９は主光源ＬＡ１点灯モードでのフローチャートであって、ＯＮ／ＯＦＦ電気信号の判別も含めた内容となっており、図１０は主光源ＬＡ１点灯モード以外の点灯モード（例えば豆球点灯モードあるいは消灯モード）でのフローチャートを示している。
【００７２】
図９に示した主光源ＬＡ１点灯モードでのフローチャートについて説明すると、ＯＮ／ＯＦＦ電気信号判別部１２は、入力信号がＯＦＦ状態からＯＮ状態になったことを検出すると、ＯＮ信号入力有りと判定し、制御部１０へ出力する。制御部１０では保護動作を開始する。ここでは、第１電源回路部３ａ内の半導体素子（Ｑ１）、及び第１点灯回路部３ｂ内の半導体素子（Ｑ２及びＱ３）をオフさせる。そして、ＯＮ信号継続時間（Ｔｏｎ）の測定を開始する。ＯＮ信号継続時間Ｔｏｎが閾値時間ｔに達するまでに、入力信号がＯＮ状態からＯＦＦ状態に切り替わった場合、ＯＮ信号発信元は異常検出信号生成部１１ａであると認識し、制御部１０へ出力する。この場合、制御部１０は保護動作を継続維持する。また、主光源点灯モードも維持する。
【００７３】
ＯＮ信号継続時間Ｔｏｎが閾値時間ｔ以上であれば、図５（ｃ）に示すように、一定時間毎にＯＮ／ＯＦＦ信号の状態を確認し、入力信号がＯＮ状態からＯＦＦ状態に切り替わったことを検出すると、ＯＮ信号発信元は手動スイッチ機構Ｄであると認識し、制御部１０へ出力する。この場合、制御部１０は保護動作を解除し、次の点灯モードへ移行するための点灯制御信号を出力し、点灯モードを切り替える。
【００７４】
本実施形態では、手動スイッチ機構Ｄと主光源点灯回路部の異常検出信号部１１ａとでＯＮ／ＯＦＦ電気信号入力系をＯＲ接続しているため、主光源ＬＡ１点灯モード（図９）においてはＯＮ／ＯＦＦ電気信号判別部１２によるＯＮ／ＯＦＦ電気信号発生元の判別が必要であるが、主光源点灯モード以外の点灯モード（図１０）においてはＯＮ／ＯＦＦ電気信号発生元を判別する必要がないため、ＯＮ／ＯＦＦ電気信号判別部１２にＯＮ信号が入力された場合には、即時、手動スイッチ機構Ｄからの信号と認識して、次の点灯モードへ移行制御するようにしても何ら支障はない。
【００７５】
以上のように、本実施形態では、異常検出信号生成部からのＯＮ／ＯＦＦ電気信号と手動機構ＤからのＯＮ／ＯＦＦ電気信号との判別方法について具体的な回路構成事例を述べた。尚、本実施形態での効果は、実施形態３で述べた内容と同様である。
【００７６】
（実施形態５）
以下、本発明の第５の実施形態を図１１〜図１４を参照して説明する。尚、本実施形態の光源用点灯装置の回路構成は図４である。本実施形態の特徴は、手動スイッチ機構の駆動操作時間によって異なる複数の点灯制御を可能にすることに関する内容であって、具体的には手動スイッチ機構Ｄを意識的に長期間連続で駆動操作した場合には、いかなる点灯モードであっても予め設定された固定の点灯モードへ移行する機能を付加したものである。尚、本実施形態では上述の『予め設定された固定の点灯モード』とは消灯モードであるという設定で以下説明していくことにする。
【００７７】
本発明の原理は、先述の実施形態３と同じく、点灯出力制御回路部４内のＯＮ／ＯＦＦ電気信号判別部１２において、ＯＮ／ＯＦＦ電気信号がＯＦＦからＯＮに切替わってからのＯＮ電気信号継続時間をモニタし、継続時間の大小によって判別する機能を有するとともに、手動スイッチ機構の操作が通常のスイッチ操作か、あるいは意識的に長期間連続で操作したのかを判別するための閾値時間Ｔ１を設定するというものである。
【００７８】
尚、当然ではあるが、図４の回路構成のように、異常検出信号生成部１１ｂと手動スイッチ機構ＤとでＯＮ／ＯＦＦ電気信号の出力先が兼用化されている場合には、ＯＮ／ＯＦＦ電気信号の発生元を判別するための閾値時間ｔと上述の閾値時間Ｔ１とは区別して設定する必要があり、また常識的に考えてｔとＴ１との関係はｔ＜Ｔ１となるように設定する必要がある。閾値時間ｔとＴ１のおおよその目安としては、ｔは数十ｍｓｅｃ以下程度で設定し、Ｔ１は２〜３ｓｅｃ程度にすることが商品仕様的には望ましいと考えるものである。
【００７９】
図１１は、ワイヤレス信号送信器Ｃ及び手動スイッチ機構Ｄによる点灯制御動作を示しているが、例えば現在の点灯モードがモード１（全灯）の場合において、通常の手動スイッチ操作を繰り返すとモード１→モード２→モード３→モード４→モード１→…となるが、手動スイッチ機構Ｄを意識的に長期間連続で駆動操作した場合にはモード１→モード４へいきなり移行することになる。また現在の点灯モードがモード２（調光）の場合やモード３（豆球）の場合であっても、長期間連続で駆動した場合にはモード４へ移行する。
【００８０】
図１２は、ＯＮ／ＯＦＦ電気信号のＯＮ電気信号継続時間を示したものであるが、図１２（ａ）のようにＯＮ信号継続時間が閾値時間ｔ以上Ｔ１以下の場合には手動スイッチ機構Ｄの通常操作がなされたことを示しており、図１２（ｂ）はＯＮ信号継続時間が閾値時間Ｔ１以上であって手動スイッチ機構Ｄを長期間連続操作したことを示している。
【００８１】
更に本実施形態におけるＯＮ／ＯＦＦ電気信号判別部１２の動作アルゴリズムをフローチャートにすると、一例として図１３，図１４のようになる。図１３は豆球点灯モードでのフローチャートであって、ＯＮ／ＯＦＦ電気信号の判別も含めた内容となっており、図１４は豆球点灯モード以外の点灯モード（例えば主光源ＬＡ１点灯モードあるいは消灯モード）でのフローチャートを示している。
【００８２】
本実施形態での効果は、例えば全灯点灯の状態で、手動スイッチ機構により消灯状態まで移行したい場合、従来であれば手動スイッチ機構を数回繰り返して１つずつ点灯モードを切り替えるという煩雑な操作が必要であったが、本実施形態によれば、予め設定された固定の点灯モードが消灯モードであれば、手動スイッチ機構を通常より若干長めに動作継続させることで一気に消灯モードまで移行することができるため、ユーザーの利便性の一層の向上が可能となる。
【００８３】
また、ユーザーによっては夜の就寝時に豆球点灯状態にする場合もあるであろうが、予め設定された固定の点灯モードが豆球点灯モードであれば、上記と同じく就寝前の煩雑な切替操作が解消されるという効果がある。
【００８４】
（実施形態６）
本発明の第６の実施形態を図１５を参照して説明する。図１５は、本実施形態に用いるワイヤレス信号送信器Ｃの正面図である。外観は実施形態１〜３に用いるワイヤレス信号送信器Ｃと同じであるが、アップ釦Ｃ５、ダウン釦Ｃ６の機能が図２の状態遷移図とは異なる。図２の状態遷移図では、アップ釦Ｃ５の押操作によりモード４→モード３→モード２→モード１のように状態が切り替わり、ダウン釦Ｃ６の押操作によりモード１→モード２→モード３→モード４のように状態が切り替わるものであったが、本実施形態では、図１５に示すように、アップ釦Ｃ５、ダウン釦Ｃ６に連続調光機能を割り当てたものである。
【００８５】
本実施形態の回路構成は実施形態３の図４と同様であるが、保存部９に記憶されている内容が異なる。すなわち、本実施形態において、実施形態３からの変更点は以下の通りである。
第１に、点灯出力制御回路部４内の保存部９が記憶する点灯モードの数を表１、表２に示す４つから、表３に示すように、２２に増やすと共に、その内２０（モード１からモード２０）の点灯モードについては主光源の光出力の設定値を消灯から全点灯までの範囲で多段階で細かく分割し、１段階の光出力の変化幅を人が知覚できない程度に設定した点である。
第２に、点灯出力制御回路部４内の保存部９が記憶する情報は、上記２２の点灯モードの設定値の他に、ワイヤレス信号送信器のダイレクト操作によって再現するべき点灯モード（本実施形態では４つ）と、その切替順序とした点である。
第３に、ワイヤレス信号送信器のアップ・ダウンスイッチ操作では、主光源に対する上記２０の点灯モードを１段階ずつ順番に切り換わるようにし、アップスイッチは光出力が増加する方向へ、ダウンスイッチは光出力が減少する方向へ切替わるようにした点である。
【表３】
2006190657.tif 000005
【００８６】
本実施形態の１つ目の特徴は、これまで述べた実施形態１〜３では、主光源の光出力の制御に限って言うとモード１及びモード２での２段階でいわゆる段調光機能だけであったところを、本実施形態では段調光機能とは別に連続調光機能も備えたという点がこれまでの実施形態と異なるところである。尚、本実施形態で述べる連続調光という機能の意味に関してであるが、主光源１の光出力を連続的に変化させるとは、主光源１の光出力が人間の目に連続して変化しているように見えることを意味しており、実際には断続的であっても人間の目が追随できずに断続的であると感じなければ連続的に変化しているとみなすことを意味している。
【００８７】
以下に、ワイヤレス信号送信器による段調光機能及び連続調光機能の操作方法と動作について説明する。まず段調光機能についてであるが、これは実施例１〜３と同様にワイヤレス信号送信器Ｃの全灯スイッチＣ１、調光スイッチＣ２、豆球スイッチＣ３、消灯スイッチＣ４のいずれかを押操作することにより制御が可能である。但し、これまでの実施形態と異なるところは、上記変更点でも述べたように、保存部９は上記２２の点灯モードの設定値以外に、ワイヤレス信号送信器Ｃのダイレクト操作によって再現するべき点灯モード（本実施形態では４つ）と、その切替順序を記憶するように設定されており、ワイヤレス信号送信器Ｃのいずれかのダイレクトスイッチを押操作することによって送信されるワイヤレス信号に応じた点灯モードを保存部９から読み出して制御するようにしている。
【００８８】
以下、表３を参照して説明する。まずワイヤレス信号送信器Ｃの全灯スイッチＣ１を押操作すると、保存部９ではモード１の点灯モードが設定されているので（●にて図示）、モード１の設定値に応じた点灯状態に切替わる。つまり主光源１は光出力１００％で点灯し、補助光源２は消灯である。次にワイヤレス信号送信器の調光スイッチＣ２を押操作すると、保存部９ではモード９の点灯モードが設定されており（●にて図示） 、主光源１は光出力６０％での調光点灯に切替わり、補助光源２は消灯のままである。更に豆球スイッチＣ３を押操作すると、保存部９ではモード２１の点灯モードが設定されているので（●にて図示） 、主光源１は消灯し、補助光源２が点灯する。最後に消灯スイッチＣ４を押操作すると、保存部９ではモード２２が設定されており、主光源１及び豆球２は共に消灯となる。以上がワイヤレス信号送信器操作による段調光機能の動作説明である。
【００８９】
次に連続調光機能についてであるが、これはワイヤレス信号送信器ＣのアップスイッチＣ５、ダウンスイッチＣ６の押操作により制御が可能である。例えば主光源１が光出力６０％の点灯状態から光出力９０％の点灯状態まで連続調光する場合について表３を参照しながら以下に説明する。
【００９０】
まずワイヤレス信号送信器Ｃにて調光スイッチＣ２を押操作すると、表３によりモード９の点灯モードが選択され（●にて図示）、主光源１は光出力６０％にて点灯する。その状態で次にワイヤレス信号送信器ＣのアップスイッチＣ５を押操作すると、ワイヤレス信号送信器Ｃから主光源１の光出力を明るくする操作信号がワイヤレス信号により送信され、受光部７がこのワイヤレス信号を受信して制御部１０に出力する。制御部１０はワイヤレス信号により送信された操作信号に基づいて、記憶部８に記憶された今現在の点灯モード（モード９）を読み出す。そして読み出した現在の点灯モードについて保存部９の複数の点灯モードデータと照合し、モード９の１つ上段であるモード８（○にて図示）の設定値である主光源制御信号Ｓ１、補助光源制御信号Ｓ２を読み出し、駆動回路部５及び第２の点灯回路部６ｂに出力する。これにより、主光源１はモード８の設定値によって点灯状態が光出力６５％に変化する。そしてアップスイッチＣ５をそのまま押し続けると上述と同様の過程によりモード７、モード６、…と変化して（○にて図示）、主光源１の光出力が徐々に明るくなる。そして、モード３まで変化したところでアップスイッチＣ５の押操作をやめれば、主光源１の点灯状態は光出力９０％で固定される。
【００９１】
次にダウンスイッチＣ６を押操作して主光源１が光出力９０％の点灯状態から光出力２５％の点灯状態まで連続調光する場合について説明する。ダウンスイッチＣ６を押操作すると、ワイヤレス信号送信器Ｃから主光源１の光出力を暗くする操作信号がワイヤレス信号により送信され、制御部１０は保存部９からモード３の１つ下段であるモード４ （○にて図示）の設定値を読み出し、主光源１はモード４の設定値によって点灯状態が光出力８５％に変化する。そしてダウンスイッチＣ６をそのまま押し続けると上述と同様の過程によりモード５、モード６、…と変化して（○にて図示）、主光源１の光出力が徐々に暗くなる。そして、モード２０に変化するまでダウンスイッチＣ６を押し続けると主光源１の点灯状態は光出力２５％で固定される。尚、上記ではワイヤレス信号送信器Ｃの調光スイッチＣ２を押操作した後での連続調光操作について述べたが、全灯スイッチＣ１を押操作した後でも技術的には同様のことであり、アップスイッチＣ５及びダウンスイッチＣ６を押操作して連続調光操作させることは可能である。
以上がワイヤレス信号送信器操作による連続調光機能の動作説明である。
【００９２】
これにより、ユーザーは連続調光機能を用いてニーズに応じた明るさを実現することができ、しかも段調光機能を用いれば明るさを２段階で切り替えることもできることから、明るさを２段階で簡単に調節することができ、適宜に省エネルギー化を図ることができる。尚、本実施形態では明るさを２段階で切り替えることができるようになっているが、３段階以上で切り替えることができるようにしても良い。
【００９３】
次に本実施形態にて特筆すべき２つ目の特徴として、ワイヤレス信号送信器Ｃの全灯スイッチＣ１、調光スイッチＣ２を押操作した際の主光源１の光出力設定値はユーザーの好みや使用環境に応じて変更することができるという機能を付加した。つまり、表３を参照しながら上述した内容では、全灯スイッチＣ１を押操作した場合はモード１の点灯モードとなり、調光スイッチＣ２を押操作した場合はモード９の点灯モードに切り換るような設定になっているが、この設定はメーカー側で予め設定した仕様であって、ユーザーの好みや照明装置の使用される場所に応じて全点灯時や段調光点灯時の光出力を設定することができなかったといった課題を解決するために、全点灯時及び段調光点灯時の光出力を保存部９に記憶されたモード１からモード２０の中からワイヤレス信号送信器Ｃの操作により自由に設定できる機能を付加したものである。そしてこの自由設定機能を達成する手段としては、上記ワイヤレス信号送信器Ｃを用いた連続調光操作にてアップスイッチＣ５あるいはダウンスイッチＣ６の押操作が完了した時点での点灯モードを制御部１０がある所定のタイミングで保存部９へ記憶させるようにすることで可能となる。
【００９４】
以下にその設定方法について、表３を参照しながら説明する。例えば、ワイヤレス信号送信器Ｃの調光スイッチＣ２を押操作した場合の主光源１の光出力設定値を光出力６０％（モード９）から光出力９０％（モード３）に設定変更する方法について説明する。上述の連続調光機能の操作方法の説明と同様に、まずワイヤレス信号送信器Ｃにて調光スイッチＣ２を押操作すると、表３によりモード９の点灯モードが選択され（●にて図示）、主光源１は光出力６０％にて点灯する。その状態で次にワイヤレス信号送信器ＣのアップスイッチＣ５を押操作し続けると、ワイヤレス信号送信器Ｃから主光源１の光出力を明るくする操作信号がワイヤレス信号により送信され、モード８、モード７、モード６、…と変化して（○にて図示）、主光源１の光出力が徐々に明るくなる。そして、モード３まで変化したところでアップスイッチＣ５の押操作をやめれば、主光源１の点灯状態は光出力９０％で固定される（●にて図示）。
【００９５】
制御部１０は受光部７を介して送信されてくるアップスイッチＣ５押操作によるワイヤレス信号が途絶えたことを検知すると、最終の点灯モード、つまりモード３が調光スイッチＣ２を押操作した際の新しい設定値であることを認識し、その情報を保存部９へ記憶させる。そして、調光スイッチＣ２を押操作した場合の主光源１の光出力設定値は光出力６０％（モード９）から光出力９０％（モード３）に変更更新され、次回以降で調光スイッチＣ２を押操作すると、主光源１は光出力９０％で点灯することになる。また同様に今度はダウンスイッチＣ６を押操作し続けると、モード３からモード４、モード５、…と変化し、モード２０になったところでダウンスイッチＣ６の押操作をやめると、今度はモード２０の点灯モードが調光スイッチＣ２を押操作した際の新しい設定値であることを記憶し（●にて図示）、次回以降で調光スイッチＣ２を押操作すると、主光源１は光出力２５％で点灯することになる。尚、上記ではワイヤレス信号送信器Ｃの調光スイッチＣ２を押操作した後での自由設定機能について述べたが、全灯スイッチＣ１を押操作した後でも技術的には同様のことであり、アップスイッチＣ５及びダウンスイッチＣ６を押操作して自由設定操作させることは可能である。
以上がワイヤレス信号送信器Ｃの全灯スイッチＣ１、調光スイッチＣ２を押操作した際の主光源１の光出力設定値を変更できる機能の動作説明である。
【００９６】
次に、主光源１及び補助光源２に対して手動スイッチ機構Ｄによる操作で制御される点灯モードのアルゴリズムの明確化に関して説明する。その内容は、以下の２つである。１つはワイヤレス信号送信器Ｃの操作にて段調光機能と連続調光機能の両方が制御可能な主光源及び補助光源用点灯装置において、手動スイッチ機構Ｄを操作した場合には段調光機能で設定された点灯モードのみを順送りで制御するようにしたことである。これを達成する手段としては、上述（実施形態３からの変更点）のように保存部９には連続調光機能用に設定された多数の点灯モードを含む２２の点灯モードの設定値、段調光機能用としてワイヤレス信号送信器のダイレクト操作によって再現するべき点灯モード（本実施形態では４つ）の他に、段調光機能用で設定された点灯モード各々に切替順序を記憶させるようにし、また制御部１０は手動スイッチ機構を操作したことによるＯＮ／ＯＦＦ電気信号を受けて、段調光機能用に設定された点灯モードを切り替え、順序通りに制御するように設定してやれば良い。
【００９７】
例えば表３を参照して具体的に説明すると、ワイヤレス信号送信器Ｃのダイレクト操作によって再現される段調光機能用の点灯モードは、全灯スイッチＣ１押操作時がモード１、調光スイッチＣ２押操作時がモード９、豆球スイッチＣ３押操作時がモード２１、そして消灯スイッチＣ４押操作時がモード２２だとすると、これら４つの点灯モードが手動スイッチ機構操作にて制御される対象となる（矢印にて図示）。また、表３中の１〜４の数字は手動スイッチ機構操作時の順送りでの切り替え順序を示しており、この表３で示した内容が保存部９に記憶されていることになる。
【００９８】
また２つ目には、ワイヤレス信号送信器Ｃの全灯スイッチＣ１、調光スイッチＣ２を押操作した際の主光源１の光出力設定値をアップスイッチＣ５あるいはダウンスイッチＣ６で更新した場合には、手動スイッチ機構Ｄで操作した場合でもその更新された点灯モードが再現されるようにしたことである。これは上述のようにアップスイッチＣ５あるいはダウンスイッチＣ６の押操作が完了した時点での点灯モードを制御部１０がある所定のタイミングで保存部９へ記憶させるように設定していることから、制御部１０が手動スイッチ機構を操作したことによるＯＮ／ＯＦＦ電気信号を受けて、段調光機能用に更新設定された点灯モードを切り替え順序通りに制御するように設定してやれば良い。
【００９９】
例えば表３を参照して具体的に説明すると、ワイヤレス信号送信器ＣのアップスイッチＣ５の押操作で調光スイッチＣ２押操作時の点灯モードをモード９からモード３に変更した場合には、手動スイッチ機構Ｄでもモード３が再現されるようになり（矢印及び２’で図示）、ダウンスイッチＣ６の押操作で調光スイッチＣ２押操作時の点灯モードをモード３からモード２０に変更した場合には、手動スイッチ機構Ｄでもモード２０が再現されるようになる（矢印及び２”で図示）。
【０１００】
以上、本実施形態の効果としては、ワイヤレス信号送信器Ｃの操作にて段調光機能と連続調光機能の両方が制御可能な主光源及び補助光源用点灯装置において、手動スイッチ機構Ｄによる押操作では保存部９に設定された多数の点灯モード全てを対象に切り替え制御するのではなく、段調光機能用に設定された点灯モードのみを順送りで制御するようにしたことで、ユーザーに対して操作の煩雑さを与えることなく、手動スイッチ機構Ｄでも簡単に明るさの調節が可能となる。また、ワイヤレス信号送信器Ｃの操作にて段調光機能で再現される点灯モードを変更した場合には、手動スイッチ機構Ｄによる押操作でも更新された点灯モードを再現できるように設定したことで、ユーザーの利便性及び操作性が向上し、より使い勝手の良い照明装置を提供することが可能となる。
【０１０１】
（実施形態７）
本発明の第７の実施形態を図１６を参照して説明する。本実施形態の回路構成で、実施形態３（図４）からの変更点は以下の通りである。まず、主光源１を点灯させる第１の点灯回路部３ｂにて駆動回路部５ｂはソース抵抗Ｒ２の電圧信号をモニタする構成とし、駆動回路部５ｂ内にはソース抵抗Ｒ２の電圧信号と制御部１０からの主光源制御信号Ｓ１の電圧信号とでフィードバック制御を行なうフィードバック回路を設定し（図示せず）、調光制御の精度を向上するようにした。尚、このフィードバック制御は周知の技術である。
【０１０２】
また、補助光源としての豆球ＬＡ２を点灯させる第２の点灯回路部６ｂの回路構成を以下のように変更した。ラインフィルタＬＦ１の出力端子両端に、補助光源としての豆球ＬＡ２、抵抗Ｒ２０１、及びトライアックＱ２０１の直列回路を接続した。またトライアックＱ２０１のＴ１端子とゲート端子との間にコンデンサＣ２０１を接続し、トライアックＱ２０１のゲート端子とＴ２端子の間には抵抗Ｒ２０２とフォトトライアックカプラＱ２０２の２次側端子との直列回路を接続する。また点灯出力制御回路部４の補助光源制御信号Ｓ２出力と回路グランド間にフォトトライアックカプラＱ２０２の１次側端子を接続した構成とした。なお、手動スイッチ機構Ｄは実施形態１と同様に制御部１０に直接接続した。
【表４】
2006190657.tif 000006
【０１０３】
本実施形態の特徴は、補助光源ＬＡ２に対して調光制御できるようにしたことである。以下にその詳細を述べる。まず、保存部９に補助光源ＬＡ２点灯時の光出力の設定値の異なる複数の点灯モードを記憶するようにした。例えば表４ではモード２１（光出力設定値１００％）からモード２５（光出力設定値２０％）までの５つのモードを設定している。補助光源ＬＡ２の点灯制御方法は、まずワイヤレス信号送信器Ｃの豆球スイッチＣ３を押操作することで、表４により保存部９からモード２１が選択され（●にて図示）、制御部１０から補助光源制御信号Ｓ２が出力される。補助光源制御信号Ｓ２が出力されると、フォトトライアックカプラＱ２０２の１次側に励磁電流が流れるため、フォトトライアックカプラＱ２０２の２次側であるトライアックがオンし、続いてトライアックＱ２０１がオンすることで補助光源ＬＡ２が点灯する。その状態で次にワイヤレス信号送信器ＣのダウンスイッチＣ６を押操作すると、モード２２に切り替わり、制御部１０はモード２２の設定値（光出力８０％）に応じた補助光源制御信号Ｓ２を出力する。ここで、補助光源ＬＡ２を点灯させる第２の点灯回路部６ｂは従来周知の位相制御回路で構成されており、トライアックＱ２０１の導通角を変化させることにより補助光源ＬＡ２の調光点灯が可能である。したがって補助光源制御信号Ｓ２は導通角が適宜変化するような信号としている。そしてダウンスイッチＣ６を押し続けると、点灯モードがモード２２、モード２３、…と切り替わり、モード２５になったところで押操作をやめると、補助光源ＬＡ２の光出力は２０％で固定する。またそれとは逆に、補助光源ＬＡ２がモード２５（光出力２０％）で点灯している状態で、ワイヤレス信号送信器ＣのアップスイッチＣ５を押操作すると、モード２４、モード２３、…というふうに光出力が増えるように制御することもできる。
【０１０４】
ところで、実施形態４で述べたワイヤレス信号送信器Ｃでのダイレクト操作によって選択される点灯モードの自由設定機能は、本実施形態での補助光源の点灯に関しても同様に設定できる機能であり、例えばダウンスイッチＣ６の押操作にてモード２５で固定した場合には、次回の豆球スイッチＣ３を押操作するとモード２５の点灯状態が選択される（●にて図示）。
【０１０５】
ここで本実施形態の特徴は、補助光源ＬＡ２に関しても段調光機能（ダイレクト操作）のほかに連続調光機能（アップ及びダウンスイッチ操作）を付加し、また豆球スイッチＣ３を押操作した際の補助光源ＬＡ２の光出力設定値をアップスイッチＣ５あるいはダウンスイッチＣ６で更新した場合には、手動スイッチ機構Ｄで操作した場合でもその更新された点灯モードが再現されるようにしたことである。
【０１０６】
例えば表４を参照して述べると、元々モード２１に設定されていた時には手動スイッチ操作でもモード２１が切り替え順序３番として設定されているが、これをダウンスイッチＣ６の押操作でモード２５に変更した場合、手動スイッチ操作でもモード２５が切り替え順序３番として再現されるようになる（表４では３‘で図示）。
【０１０７】
以上、本実施形態の効果としては、主光源及び補助光源が共に連続調光機能を有し、且つ主光源及び補助光源の両光源についてその光出力を自由に設定することができ、且つそれは手動スイッチ機構の操作でも簡単に制御することができるようになり、より一層ユーザーの利便性及び操作性が向上し、使い勝手の良い照明装置を提供することが可能となる。
【０１０８】
（実施形態８）
以下、本発明の第８の実施形態を図１７、図１８を参照して説明する。尚、本実施形態の光源用点灯装置の回路構成は図１６であり、保存部９に記憶された点灯モードは表４とする。本実施形態の特徴は、手動スイッチ機構の駆動操作時間によって異なる複数の点灯制御を可能にすることに関する内容であって、具体的には手動スイッチ機構Ｄを意識的に長期間連続で駆動操作した場合には、手動スイッチ機構Ｄを連続操作している期間において、保存部９に記憶された点灯モードを順次一定期間毎に切り替えるという機能を付加したものである。
【０１０９】
本発明の原理は、先述の実施形態５で述べたＯＮ／ＯＦＦ電気信号判別部１２の代わりに、点灯出力制御回路部４内の制御部１０において、ＯＮ／ＯＦＦ電気信号がＯＦＦからＯＮに切替わってからのＯＮ電気信号継続時間をモニタし、継続時間の大小によって判別する機能を有するとともに、手動スイッチ機構の操作が通常のスイッチ操作か、あるいは意識的に長期間連続で操作したのかを判別するための閾値時間Ｔ２を設定するというものである。
【０１１０】
尚、本実施形態の回路構成である図１６では、異常検出信号生成部１１を設けておらず、手動スイッチ機構ＤとでＯＮ／ＯＦＦ電気信号の出力先を兼用化していないが、仮に兼用化する場合にはＯＮ／ＯＦＦ電気信号の発生元を判別するための閾値時間ｔと上述の閾値時間Ｔ２とは区別して設定する必要があり、また、ｔとＴ２との関係はｔ＜Ｔ２となるように設定する必要がある。
【０１１１】
次に、手動スイッチ機構Ｄを通常操作した場合と、意識的に長期間連続で駆動操作した場合との点灯モードの切替わり方の違いについて、表４を参照して以下に示す。
まず、通常操作した場合は、実施形態７で先述の通り、仮に現在の点灯モードがモード９（主光源６０％調光状態）の場合には、手動スイッチ機構Ｄを１回操作するとモード２１（補助光源全灯点灯状態）に移行する。続いて再度手動スイッチ機構Ｄを１回操作するとモード２６（消灯状態）に移行、次はモード１（主光源全灯点灯状態）に移行、次はモード９（主光源６０％調光点灯状態）に移行、…というように点灯モードが切替わる。
【０１１２】
それに対して、意識的に長期間連続で駆動操作した場合には、モード９→モード１０→モード１１→モード１２→…モード１９→モード２０→モード１９→モード１８→…モード２→モード１→モード２→モード３→…というように、手動スイッチ機構Ｄを連続操作している期間において、保存部９に記憶された主光源に関する点灯モードを順次一定期間毎に切り替えるようにし、また手動スイッチＤの連続操作を止めた場合には、止めた時点での点灯モードがその後、継続維持されるように設定する。また、モードが切替わる間隔は、制御部１０に内蔵されたカウンター機能（図示せず）により一定期間毎に切替わるように制御させてやれば良い。
【０１１３】
図１７は、ＯＮ／ＯＦＦ電気信号のＯＮ電気信号継続時間を示したものであるが、図１７（ａ）のようにＯＮ信号継続時間が閾値時間Ｔ２以下の場合には手動スイッチ機構Ｄの通常操作したことを示しており、図１７（ｂ）はＯＮ信号継続時間が閾値時間Ｔ２以上であって手動スイッチ機構Ｄを長期間連続操作したことを示している。
【０１１４】
更に本実施形態における制御部１０の動作アルゴリズムをフローチャートにすると、一例として図１８のようになる。
尚、上記では主光源点灯状態での動作を示したが、例えば補助光源点灯状態で手動スイッチ機構Ｄを長期間連続操作した場合でもモード２１からモード２５までを順次切り替えるようにすることは言うまでもない。
【０１１５】
本実施形態での効果は、主光源あるいは補助光源に対して連続調光機能を有した光源用点灯装置において、従来であればワイヤレス信号送信器でしか操作設定できなかった点灯モードが、手動スイッチ機構によっても設定できるようになり、ユーザーがワイヤレス送信器を紛失した場合でも手動スイッチ機構を操作してユーザーのお好みの点灯シーンを演出することが可能になる等、利便性の一層の向上が可能となる。
【０１１６】
（実施形態９）
本発明の第９の実施形態を図１９を参照して説明する。本実施形態の回路構成で、実施形態５（図１６）からの変更点は以下の通りである。まず、補助光源２として、豆球から発光ダイオード（ＬＥＤ）に変更した。また、補助光源２を点灯させる第２の電源回路部６ａとして以下の回路を設定した。第１の電源回路部３ａ内の平滑コンデンサＣ３の両端に抵抗Ｒ３０１〜Ｒ３０３、インテリジェントパワーデバイスＩＰＤ素子、コンデンサＣ３０１〜Ｃ３０３、ダイオードＤ３０１〜Ｄ３０２、ツェナーダイオードＺＤ３０１〜ＺＤ３０２、インダクタＬ３０１から成る直流電源回路を構成した。尚、上記電源回路構成は降圧チョッパ回路を構成しており、平滑用コンデンサＣ３の両端の直流電圧を所定の直流電圧に変換するものであり、ＩＰＤには降圧チョッパ用のスイッチング素子が内蔵されている。尚、ＩＰＤとはインテリジェントパワーデバイスの略称であり、シリコンＭＯＳ形集積回路として例えば松下電器産業からＭＩＰ＊＊＊品番で商品化されているものである。
【０１１７】
また、補助光源２を点灯させる第２の点灯回路部６ｂの回路構成を以下のように変更した。第１の電源回路部３ａの出力であるツェナーダイオードＺＤ３０２の両端に抵抗Ｒ３０４、発光ダイオードＬＡ３１〜ＬＡ３４、トランジスタＱ３０１の直列回路が接続される。また、トランジスタＱ３０１のベース端子は制御部１０の出力と接続されており、制御部１０からの補助光源制御信号Ｓ２に応じてトランジスタＱ３０１がオン／オフ動作する構成になっている。尚、本実施形態で示した第２の点灯回路部６ｂの回路構成の他にも、発光ダイオードを点灯させる為の回路構成としては例えばミラー回路を用いた定電流回路を用いても良く、その構成自体には特に言及するものではない。また発光ダイオードの灯数についても特に言及はしない。
【０１１８】
また、点灯出力制御回路部４内に音声ブザー発生部１３を設け、制御部１０からの信号有無に応じて音声を発生できるようにした。ワイヤレス信号送信器Ｃの構成にて、ダイレクト操作するためのスイッチ数をこれまでの４つから５つに変更し、スイッチの呼称をシーン１〜シーン５スイッチとした。
【０１１９】
図２０は、本実施形態に用いるワイヤレス信号送信器Ｃの正面図である。外観は実施形態１〜５に用いるワイヤレス信号送信器Ｃと良く似ているが、複数のシーン選択釦Ｃ１〜Ｃ５により段調光機能を実現すると共に、アップ釦Ｃ６、ダウン釦Ｃ７により主光源と補助光源の連続調光機能を実現している点が異なる。
【表５】
2006190657.tif 000007
【０１２０】
本実施形態では、保存部９に予め記憶させる点灯モードの数を実施形態５（表４）から１つ増やし、モード０を追加した。モード０は主光源及び補助光源を両方点灯させるように設定されており、ワイヤレス信号送信器Ｃのシーン１スイッチＣ１を押操作することで制御することができる。またモード０での各光源の光出力の設定値は、主光源の方が後述のシーン２スイッチＣ２を押操作した際の点灯モード（表５中ではモード１）の光出力で点灯し、補助光源は後述のシーン４スイッチＣ４を押操作した際の点灯モード（表５中のモード２１）の光出力で点灯するように設定されている。また、ワイヤレス信号送信器Ｃのシーン２スイッチＣ２を押操作すると、表５中のモード１が選択され、主光源が光出力１００％で点灯し、補助光源は消灯となる。同様にシーン３スイッチＣ３を押操作するとモード９が選択され、主光源が光出力６０％で点灯し、補助光源は消灯となる。シーン４スイッチＣ４を押操作すると、モード２１が選択され、主光源が消灯し、補助光源が光出力１００％で点灯する。シーン５スイッチＣ５を押操作するとモード２６が選択され、主光源、補助光源ともに消灯となる。
【０１２１】
本実施形態でも段調光機能と連続調光機能を両方備えており、段調光機能は上述のダイレクトスイッチで操作可能であり、連続調光機能はアップスイッチＣ６及びダウンスイッチＣ７で操作可能である。またダイレクトスイッチ押操作時の点灯モードの変更も先の実施形態と同様にアップスイッチＣ６、ダウンスイッチＣ７の操作にて設定可能である。
【０１２２】
更に手動スイッチ機構Ｄの操作では、シーン１スイッチＣ１からシーン５スイッチＣ５を押操作したときに選択される点灯モードが順送りで切替操作可能であり、シーン５スイッチＣ５押操作時の点灯モードの状態で手動スイッチ機構Ｄを操作すると、次にはシーン１スイッチＣ１押操作時の点灯モードが選択されるように設定している。
【０１２３】
ところで本実施形態の特徴は、上述のように音声ブザー発生部１３を追加し、制御部１０からの信号有無で音声を発生する機能を付加したことである。詳細には手動スイッチ機構Ｄを操作した際に音声を発生するようにした。この機能を達成する手段としては、制御部１０が手動スイッチ機構ＤからＯＮ／ＯＦＦ電気信号を受信すると、制御部１０から音声ブザー発生部１３へ音声発生を指示する信号を送信するように設定しておけば良い。
【０１２４】
以上、本実施形態の効果としては、手動スイッチ機構Ｄの操作の度に音声を発生させる機能を付加したことで、ユーザーが手動スイッチ機構Ｄを操作したことについて照明装置が認識しているということをユーザーにお知らせすることができ、ユーザーの操作性に関する不安を軽減することが可能となる。
【０１２５】
尚、音声発生は手動スイッチ機構Ｄの操作時に限らず、ワイヤレス信号送信器Ｃを操作した際でも音声を発生するようにしても全く問題ではなく、また各操作時で音声の音色や発生時間をそれぞれ異なるようにすれば、一層使い勝手の良い照明装置を提供することも可能である。
【０１２６】
（実施形態１０）
以下、本発明の第１０の実施形態を図２１から図２４を参照して説明する。本実施形態は実施形態１から実施形態９までで述べたいずれかの主光源及び補助光源用点灯装置と、主光源及び補助光源、そして光源ランプの放射光を制光する制光手段を有した照明器具本体とを具備していることを特徴とする照明装置の一例について述べるものである。
【０１２７】
図２１は照明装置の概略を示しており、いわゆる吊り下げ式照明器具を示している。器具本体２０は略円盤状に形成されており、電源コード２１及び電源コードの先端に設けられた引掛シーリングキャップ２２を介して天井面に配設された配線器具２３に機械的及び電気的に接続され、器具本体２０に内蔵された主光源及び補助光源用点灯装置は配線器具２３から給電される。器具本体２０は吊り下げ姿勢で主光源（蛍光灯ランプ）１が略水平に保持されるように重量配分されており、主光源（蛍光灯ランプ）１を装着支持するための主光源ソケット１５及び主光源支持バネ１６を取り付けて構成されている。また器具本体２０は、主光源及び補助光源用点灯装置の手動スイッチを操作する引き紐２４と、ワイヤレス信号送信器Ｃから送信させるワイヤレス信号を受信して主光源１あるいは補助光源２を点灯制御させる受光部７とが設けられ、受光部７と補助光源ソケットとが器具本体２０の下面側カバーに形成された窓孔部から下方に臨む状態で設けられて、補助光源２が窓孔部から下面側カバーの下側に突き出る姿勢で補助光源ソケットに着脱自在にねじ込まれている。セード２５は略円状に形成されており、中央部に形成された略円状の窓孔部が、器具本体２０の上側に設けられた凸部に合わさるようにして位置決めされ、器具本体２０の上面に設置される。また器具本体２０の下面側からは、セード２５と略同一径の円盤状に形成されたセード下面カバー２６がつまみネジ２７により器具本体２０に取り付けられるように構成されている。尚、セード下面カバー２６の中央部には手動スイッチを操作する引き紐２４を貫通させるための窓孔部を形成している。２８はプルスイッチつまみ、２９はアジャスタ、３０はフランジである。
【０１２８】
次に図２２は器具本体の概略を示している。器具本体は器具上面カバー２０ａと器具下面カバー２０ｂとが周縁部に沿って複数箇所にてネジ止めされており、また同じく周縁部には主光源ソケット１５及び主光源支持バネ１６が略放射状となるように設置されている。１７は主光源用出力線である。器具本体２０の内側には主光源及び補助光源用点灯装置が上方側にはんだ面、下方側に部品面となる姿勢にて内蔵されており、主光源及び補助光源用点灯装置のはんだ面と器具本体上面カバー２０ａとの間には樹脂製絶縁板３２が器具本体上面カバー２０ａに固定された構成で設けられている。尚、主光源及び補助光源用点灯装置は、絶縁板３２に形成された複数箇所から成る爪部によって支持固定される（図示せず）。また主光源及び補助光源用点灯装置を構成するプリント基板３１は略中央部に窓孔部が設けられており（図２４参照）、手動スイッチ本体４０、手動スイッチ駆動部４１、補助光源ソケット４２、及び受光部ブロック４３等を固定するための手動スイッチ固定金具４４が、プリント基板窓孔部を貫通して器具本体上面カバー２０ａの略中央部に固定されている。更に手動スイッチ駆動部４１と、手動スイッチを操作する引き紐２４とをつなぐためのプルスイッチ金具４５が器具本体下面カバー２０ｂの窓孔部から下方に臨む状態で設けられている。
【０１２９】
次に図２４は手動スイッチ固定金具４４の概略を示している。手動スイッチ固定金具４４は略コの字型の形状であり、補助光源ソケット４２を固定し、また器具上面カバー２０ａにネジ止め固定するためのネジ貫通穴が設けられた上面部、手動スイッチ本体４０及び手動スイッチ駆動部４１を固定するとともに、駆動部用バネ４６を引っ掛けるための切り欠き部等が形成された側面部、そして受光部ブロック４３を固定するための下面部とで形成されている。尚、４７は駆動部回転軸用固定ネジである。また、受光部ブロック４３において、５１は受光部素子、５２は音声ブザー出力部である。
【０１３０】
手動スイッチ本体４０はスイッチ釦が下方側へ、出力用のリード端子が上方側へ臨む構成で手動スイッチ固定金具４４の側面部に固定されており、同じく側面部に固定された手動スイッチ駆動部４１がプルスイッチ引き紐２４を引っ張る操作にて手動スイッチ釦を押し上げるように構成設置されている。手動スイッチ出力用端子からは手動スイッチ信号線４８がはんだ付けにより電気的に接続され、手動スイッチ用信号線４８の他方先端部に設けられた手動スイッチ用コネクタ４９によって主光源及び補助光源用点灯装置のプリント基板３１に電気的に接続される。尚、手動スイッチ本体４０の出力端子側には絶縁用カバー５０も設置されている。
【０１３１】
次に図２３は手動スイッチ固定金具の概略構成と手動スイッチ操作時の動作について示している。手動スイッチ本体４０及び手動スイッチ駆動部４１は手動スイッチ固定金具４４の側面部にネジ止め固定されている。手動スイッチ駆動部４１と固定用ネジ４７との間には略渦巻きコイル状の金属ワイヤ製バネ４６が設置されており、金属ワイヤ製バネ４６の一方の先端部は手動スイッチ固定金具４４にて切り欠き状に形成されたバネストッパ（図では右側のストッパ４４ａ）に引っ掛けられ、他方の先端部は手動スイッチ駆動部４１にて切り欠き状に形成されたバネストッパ（図では左側のストッパ４１ａ）に引っ掛けられていて、手動スイッチ引き紐２４を下方側へ引っ張り操作することで手動スイッチ駆動部４１が時計回り方向に回転し、手動スイッチ釦４０ａを押し上げる仕組みとなっている。手動スイッチ駆動部４１の先端部は図２３（ａ）においてＡ面及びＢ面を有する略Ｌ字形の形状で、角部には適当なＲ部が形成されていることにより、手動スイッチ操作を円滑にしている。
【０１３２】
手動スイッチ操作時の動作についてであるが、まず図２３（ａ）は手動スイッチ操作前の状態を示している。手動スイッチ駆動部４１は手動スイッチ固定金具４４の側面に形成された駆動部ストッパ（図では上側ストッパ４４ｂ）により静止固定されており、また手動スイッチ釦４０ａは手動スイッチ駆動部４１のＡ面にほぼ近接した状態となっている。手動スイッチ引き紐２４を操作すると手動スイッチ釦４０ａと手動スイッチ駆動部４１がまずＡ面部にて接触し、手動スイッチ駆動部４１の回転によって手動スイッチ釦４０ａが上方へ押し上げられる。手動スイッチ引き紐２４を途中まで操作した状態が図２３（ｂ）であり、手動スイッチ釦４０ａは手動スイッチ駆動部４１のＲ部付近で接触した状態となっている。そして更に手動スイッチ引き紐２４を操作すると、手動スイッチ駆動部４１は更に時計回り方向に回転し、今度は手動スイッチ駆動部４１のＢ面にて手動スイッチ釦４０ａを押し上げる。そして手動スイッチ駆動部４１が手動スイッチ固定金具４４の側面に設けられた下側の駆動部ストッパ４４ｃに止められるまで手動スイッチ引き紐２４を引っ張った状態が図２３（ｃ）である。ユーザーは図２３（ｃ）の状態になったことで手動スイッチの引っ張り操作が完了したと認識でき、引っ張り操作を止めると、今度はバネの作用によって手動スイッチ駆動部４１が反時計回りに回転し、図２３（ｃ）→図２３（ｂ）→図２３（ａ）の過程で元の状態に戻る。
【０１３３】
上記のような手動スイッチ駆動構成とした理由としては、手動スイッチ操作中の手動スイッチのＯＮ状態継続時間をできるだけ長くするとともに、手動スイッチ操作時の操作感（クリック感）を持たせるという意味で効果がある。つまり手動スイッチ釦を垂直方向に直接押操作する場合に比べて操作ストローク距離を長く稼ぐことができ、実施形態２で述べた異常検出との兼用に際しても有効である。
【０１３４】
尚、本実施形態で述べた吊り下げ式照明器具は照明装置としての一例であり、たとえば天井直付け形照明器具やその他様々な構成の照明装置についても、本発明の特徴を持つ主光源及び補助光源用点灯装置あるいは主光源及び補助光源用点灯装置に主光源及び補助光源を具備した主光源及び補助光源点灯装置を具備した照明装置に関して特に照明装置自体の形状、構造等を制限規制するものではない。
【０１３５】
以上、本発明の特徴を持つ主光源及び補助光源用点灯装置と、主光源及び補助光源を具備し、更に光源ランプの放射光を制光する制光手段等を有することで、本発明による効果を奏する照明装置を提供することが可能となる。
【図面の簡単な説明】
【０１３６】
【図１】本発明の実施形態１の構成を示すブロック図である。
【図２】本発明の実施形態１の動作を示す状態遷移図である。
【図３】本発明の実施形態２の構成を示すブロック図である。
【図４】本発明の実施形態３の構成を示すブロック回路図である。
【図５】本発明の実施形態３の動作を示す動作説明図である。
【図６】本発明の実施形態３の動作を示すフローチャートである。
【図７】本発明の実施形態３の動作を示すフローチャートである。
【図８】本発明の実施形態４の構成を示すブロック回路図である。
【図９】本発明の実施形態４の動作を示すフローチャートである。
【図１０】本発明の実施形態４の動作を示すフローチャートである。
【図１１】本発明の実施形態５の動作を示す状態遷移図である。
【図１２】本発明の実施形態５の動作を示す動作説明図である。
【図１３】本発明の実施形態５の動作を示すフローチャートである。
【図１４】本発明の実施形態５の動作を示すフローチャートである。
【図１５】本発明の実施形態６に用いるワイヤレス信号送信器の正面図である。
【図１６】本発明の実施形態７の構成を示すブロック回路図である。
【図１７】本発明の実施形態８の動作を示す動作説明図である。
【図１８】本発明の実施形態８の動作を示すフローチャートである。
【図１９】本発明の実施形態９の構成を示すブロック回路図である。
【図２０】本発明の実施形態９に用いるワイヤレス信号送信器の正面図である。
【図２１】本発明の実施形態１０の照明装置の構成を示す斜視図である。
【図２２】本発明の実施形態１０の照明装置の構成を示す断面図である。
【図２３】本発明の実施形態１０に用いる手動スイッチ機構の動作を示す説明図である。
【図２４】本発明の実施形態１０に用いる手動スイッチ機構の構成を示す斜視図である。
【符号の説明】
【０１３７】
１    主光源
２    補助光源
３ａ  第１の電源回路部
３ｂ  第１の点灯回路部
４    点灯出力制御回路部
５    駆動回路部
６ａ  第２の電源回路部
６ｂ  第２の点灯回路部
７    受光部
８    記憶部
９    保存部
１０  制御部
Ｃ    ワイヤレス信号送信器
Ｄ    手動スイッチ機構
【図１】
2006190657.tif 000008
【図２】
2006190657.tif 000009
【図３】
2006190657.tif 000010
【図４】
2006190657.tif 000011
【図５】
2006190657.tif 000012
【図６】
2006190657.tif 000013
【図７】
2006190657.tif 000014
【図８】
2006190657.tif 000015
【図９】
2006190657.tif 000016
【図１０】
2006190657.tif 000017
【図１１】
2006190657.tif 000018
【図１２】
2006190657.tif 000019
【図１３】
2006190657.tif 000020
【図１４】
2006190657.tif 000021
【図１５】
2006190657.tif 000022
【図１６】
2006190657.tif 000023
【図１７】
2006190657.tif 000024
【図１８】
2006190657.tif 000025
【図１９】
2006190657.tif 000026
【図２０】
2006190657.tif 000027
【図２１】
2006190657.tif 000028
【図２２】
2006190657.tif 000029
【図２３】
2006190657.tif 000030
【図２４】
2006190657.tif 000031